(57)【要約】複数のグルーブ（Ｇ）と複数のランド（Ｌ）とが交互に設けられている光ディスク（Ｄ）であって、アドレスデータ記録領域は、グルーブ（Ｇ）の両側壁に位相が同一の一対のウォブリング部（３１ａ，３１ｂ）が形成された構成とされている。このことにより、振幅が大きなプッシュプル信号が得られ、データ記録密度を高めるのに有利となる。
2004059633.tif 000002
【特許請求の範囲】
【請求項１】
複数のグルーブと複数のランドとがディスク半径方向に交互に設けられており、かつ上記複数のグルーブには、ウォブルによるアドレスデータ記録領域が形成されている、光ディスクであって、
上記アドレスデータ記録領域は、同位相の一対のウォブリング部が上記グルーブの両側壁に形成された構成を有していることを特徴とする、光ディスク。
【請求項２】
上記複数のグルーブは、ディスク半径方向に隣り合うグルーブごとに、同位相の一対のウォブリング部が形成された構成とされており、
上記各ランドには、それら一対のウォブリング部によって挟まれた部分が設けられている、請求項１に記載の光ディスク。
【請求項３】
上記複数のグルーブに設けられたアドレスデータ記録領域としては、上記各グルーブの個々のアドレスを示す第１の記録領域と、上記各グルーブに隣接する他のグルーブのアドレスを示す第２の記録領域とがあり、
上記複数のグルーブは、１つのグルーブの第１の記録領域と、それに隣接する他の１つのグルーブの第２の記録領域とが、上記ランドを挟んで向かい合い、かつそれらのウォブリング部は同位相となった構成を有している、請求項２に記載の光ディスク。
【請求項４】
上記複数のグルーブの第１および第２の記録領域は、ディスク半径方向に隣り合うグルーブ間においてディスク周方向に位置ずれした配列に設けられ、
上記ランドを挟んで上記第１および第２の記録領域どうしが向かい合う部分は、ディスク半径方向において互いに隣接しないように構成されている、請求項３に記載の光ディスク。
【請求項５】
上記複数のグルーブは、第１から第３のグルーブがディスク半径方向に繰り返して並び、かつトラックアドレスのデータの記録が回避された非トラックアドレス領域を有している構成とされており、
上記第１のグルーブは、この第１のグルーブのトラックアドレスを示す領域、上記非トラックアドレス領域、およびこの第１のグルーブに隣接する第３のグルーブのトラックアドレスを示す領域が、これらの順序でディスク周方向に形成された構成を有しており、
上記第２のグルーブは、隣接する第１のグルーブのトラックアドレスを示す領域、この第２のグルーブのトラックアドレスを示す領域、および上記非トラックアドレス領域が、これらの順序でディスク周方向に形成された構成を有しており、
上記第３のグルーブは、上記非トラックアドレス領域、隣接する第２のグルーブのトラックアドレスを示す領域、およびこの第３のグルーブのトラックアドレスを示す領域が、これらの順序でディスク周方向に形成された構成を有している、請求項４に記載の光ディスク。
【請求項６】
上記各非トラックアドレス領域には、トラックアドレスとは異なるデータを示す追加のウォブリング部が形成されている、請求項５に記載の光ディスク。
【請求項７】
上記追加のウォブリング部が示す情報は、互いに隣接し合うグルーブに共通の情報である、請求項６に記載の光ディスク。
【請求項８】
上記追加のウォブリング部は、ディスク半径方向に隣接し合うグルーブのそれぞれに設けられており、かつこれら一対の追加のウォブリング部は、ランドを挟んで対向し、かつ同位相である、請求項７に記載の光ディスク。
【請求項９】
上記第１から第３のグルーブには、そのグルーブから読み取られるトラックアドレスのデータのうち、いずれのトラックアドレスがそのグルーブのトラックアドレスのデータであるかを示す指示データが記録されている、請求項５に記載の光ディスク。
【請求項１０】
上記指示データの記録は、上記各グルーブの両側壁に同位相で設けられた一対のウォブリング部によりなされている、請求項９に記載の光ディスク。
【請求項１１】
上記第１から第３のグルーブのそれぞれを含んで構成される１フレーム領域の先頭部分に、上記指示データが記録されている、請求項１０に記載の光ディスク。
【請求項１２】
上記複数のグルーブおよびランドは、少なくとも同一トラックにおいてディスク周方向に一定間隔で設けられた複数のクロックマークの形成領域によって区切られた複数のセグメントを含んでいる、請求項１に記載の光ディスク。
【請求項１３】
上記複数のセグメントとしては、アドレスセグメントと、ユーザ使用領域となる複数のデータセグメントとがあり、上記複数のアドレスセグメントに上記ウォブルによるアドレスデータ記録領域が形成されている、請求項１２に記載の光ディスク。
【請求項１４】
上記複数のアドレスセグメントの一部には、上記アドレスデータ記録領域が形成されていない箇所が設けられており、この箇所は、ユーザ使用領域の一部としてデータの書き込みが可能に構成されている、請求項１３に記載の光ディスク。
【発明の詳細な説明】
【技術分野】  本発明は、光ディスクに関する。本明細書でいう「光ディスク」とは、光学的手段を用いることによりデータの記録および／または再生が可能なディスクを意味しており、ＣＤ−ＲＯＭなどの読み取り専用の狭義の光ディスクに加え、光磁気記録方式、相変化方式、あるいは有機色素変化方式などによってデータの書き込みが可能なタイプのディスクをも含む広い概念である。
【背景技術】  光ディスクは、高密度化が進んでおり、光磁気ディスクを一例に挙げると、この光磁気ディスクの規格としては、たとえばＡＳ−ＭＯ（Ａｄｖａｎｃｅｄ  Ｓｔｏｒａｇｅｄ  Ｍａｇｎｅｔｏ  Ｏｐｔｉｃａｌ  Ｄｉｓｋ）がある。同規格の光磁気ディスクは、直径１２０ｍｍの片面で、６ＧＢ程度の記憶容量をもっている。この光磁気ディスクは、図７に示すように、半径方向（矢印Ｒａ方向）にグルーブＧとランドＬとが交互に形成されることによりトラックが構成されている。各トラックには、複数のファインクロックマーク７０を光磁気ディスクの周方向に一定間隔で形成するためのエリアが設けられており、各トラックは、このエリアによって複数のセグメントに分割されている。これら複数のセグメントとしては、アドレスセグメント８とデータセグメント９とがあり、１フレームは、１個のアドレスセグメント８と３８個のデータセグメント９により構成されている。データセグメント９は、光磁気記録方式によりユーザがデータを記録する領域であるのに対し、アドレスセグメント８は、トラックアドレスなどのアドレスデータを記録する領域である。
光磁気ディスクの記録領域は、図８に示すように、複数のバンドＢ（ゾーン）に区分されており、各バンドＢ内においては、複数のフレームが半径方向および周方向に並んでいる。周方向においては、図９に示すように、フレーム１からフレームｎまで並び、１周すると、またフレーム１となる。各バンドＢ内において、半径方向に並ぶ複数のフレームの番号（フレームアドレス）は同一となっている。図７に示したアドレスセグメント８に記録されるアドレスデータとしては、フレームアドレス、バンドアドレス、およびトラックアドレスがある。
アドレスセグメント８へのアドレスデータの記録方式としては、グルーブＧの一側壁にウォブリング部８０を設けるいわゆるウォブル方式が採用されている。なお、図面においては、ウォブリング部８０の形状を模式的に示している。これは、後述する図１〜図６の他の添付図面においても同様である。アドレスデータのうち、たとえばグルーブＧのトラックＮ，（Ｎ＋１），あるいは（Ｎ＋２）などのトラックアドレスについては、正確な読み取りを行なわせることを目的として、１つのアドレスセグメント８に、２つのウォブリング部８０ａ，８０ｂがディスク周方向に並べて設けられている。これら２つのウォブリング部８０ａ，８０ｂは、グルーブＧの一対の側壁のそれぞれに分けて設けられたスタガ方式とされている。このようなスタガ方式にすれば、光磁気ディスクがチルトしたときに、２つのウォブリング部８０ａ，８０ｂのいずれか一方の検出が困難になったとしても、他方の検出は可能であることから、アドレスデータの読み出しの確実化が図られる。
上記したアドレスデータの読み出しには、プッシュプル法が用いられている。このプッシュプル法を簡単に説明すると、まず、図１０に示すように、対物レンズ６０によって集光されたレーザ光がランドＬおよびグルーブＧが形成された凹凸面に照射され、かつこの光が反射されると、プラスおよびマイナスの反射回折光Ｒ１が発生する。その結果、対物レンズ６０には、直接反射光Ｒ０に加えてそれらの反射回折光Ｒ１も入射する。このような戻り光を２つの受光エリア６１ａ，６１ｂをもつ２分割検出器６１により受光させ、かつこの検出器６１から出力される２つの受光エリア６１ａ，６１ｂにおける受光量に対応した信号ＳＧ１，ＳＧ２の差分をとる。この信号が、プッシュプル信号であり、この信号に基づき、ウォブリング部のうち、レーザ光が照射された部分のウォブル量を判断可能である。
上記したアドレスセグメント８およびデータセグメント９を備えた光磁気ディスクのパターンは、フォトレジストを塗布したガラス原盤を回転させながら、対物レンズによって集光させたレーザビームを半径方向に移動させることにより露光し、かつその現像を行なうことにより形成される。その露光の際には、１つのレーザビームを２つのビームに分割し、ウォブリング部８０に対応する部分を露光するときには、それら２つのビームの一方のみをウォブルさせる制御を行なう。このようにすれば、一側壁がウォブルされ、かつそれとは反対の側壁が非ウォブル状態のグルーブＧを形成可能である。
しかしながら、上記従来技術においては、次のような問題点があった。
第１に、ＡＳ−ＭＯ規格の光磁気ディスクにおいては、トラックピッチが０．６μｍであり、この程度のピッチであれば、上記した２つのレーザビームを用いる方法によってグルーブＧの一側壁にウォブリング部８０を適切に形成可能である。ところが、データ記録密度をより高めることを目的として、たとえばトラックピッチを０．３μｍ程度に狭めようとした場合、上記２つのレーザビームを用いる手法では、グルーブＧのウォブリング部８０を適切に形成することが困難となる。なぜなら、それらのビームスポットの中心間隔を小さくしていくと、それらの重なり度合いが大きくなり、実質的に１つのビームスポットと同様なものになってしまうからである。
第２に、ＡＳ−ＭＯ規格の光磁気ディスクにおいては、波長が６５０ｎｍ程度の赤色レーザが用いられる。これに対して、光磁気ディスクのさらなる高密度化を図るには、それよりも波長が短い青色レーザ（たとえば波長が４０５ｎｍ程度）を用いて、ビームスポットの微小化を図ることが望まれる。ところが、青色レーザを用いると、赤色レーザを用いる場合よりも、検出器の感度が低下するため、ウォブリング部８０の検出が不正確となる虞れが大となる。とくに、光磁気ディスク装置の光検出系においては、光検出器が光磁気信号検出用とサーボ信号検出用とに分けられているために、ウォブリング部８０の検出に利用される光量が少なくなり、その検出が不正確となり易い。さらには、光磁気信号のＳ／Ｎを高めるためには、サーボ用の光量を少なくして、光磁気信号検出用の光量を多くする必要があるため、その傾向は一層強くなる。
【発明の開示】
本発明の目的は、上記の問題点を解消または軽減することができる光ディスクを提供することにある。
本発明によって提供される光ディスクは、複数のグルーブと複数のランドとがディスク半径方向に交互に設けられており、かつ上記複数のグルーブには、ウォブルによるアドレスデータ記録領域が形成されている、光ディスクであって、上記アドレスデータ記録領域は、同位相の一対のウォブリング部が上記グルーブの両側壁に形成された構成を有していることを特徴としている。
好ましくは、上記複数のグルーブは、ディスク半径方向に隣り合うグルーブごとに、同位相の一対のウォブリング部が形成された構成とされており、上記各ランドには、それら一対のウォブリング部によって挟まれた部分が設けられている。
好ましくは、上記複数のグルーブに設けられたアドレスデータ記録領域としては、上記各グルーブの個々のアドレスを示す第１の記録領域と、上記各グルーブに隣接する他のグルーブのアドレスを示す第２の記録領域とがあり、上記複数のグルーブは、１つのグルーブの第１の記録領域と、それに隣接する他の１つのグルーブの第２の記録領域とが、上記ランドを挟んで向かい合い、かつそれらのウォブリング部は同位相となった構成を有している。
好ましくは、上記複数のグルーブの第１および第２の記録領域は、ディスク半径方向に隣り合うグルーブ間においてディスク周方向に位置ずれした配列に設けられ、上記ランドを挟んで上記第１および第２の記録領域どうしが向かい合う部分は、ディスク半径方向において互いに隣接しないように構成されている。
好ましくは、上記複数のグルーブは、第１から第３のグルーブがディスク半径方向に繰り返して並び、かつトラックアドレスのデータの記録が回避された非トラックアドレス領域を有している構成とされており、上記第１のグルーブは、この第１のグルーブのトラックアドレスを示す領域、上記非トラックアドレス領域、およびこの第１のグルーブに隣接する第３のグルーブのトラックアドレスを示す領域が、これらの順序でディスク周方向に形成された構成を有しており、上記第２のグルーブは、隣接する第１のグルーブのトラックアドレスを示す領域、この第２のグルーブのトラックアドレスを示す領域、および上記非トラックアドレス領域が、これらの順序でディスク周方向に形成された構成を有しており、上記第３のグルーブは、上記非トラックアドレス領域、隣接する第２のグルーブのトラックアドレスを示す領域、およびこの第３のグルーブのトラックアドレスを示す領域が、これらの順序でディスク周方向に形成された構成を有している。
好ましくは、上記各非トラックアドレス領域には、トラックアドレスとは異なるデータを示す追加のウォブリング部が形成されている。
好ましくは、上記追加のウォブリング部が示す情報は、互いに隣接し合うグルーブに共通の情報である。
好ましくは、上記追加のウォブリング部は、ディスク半径方向に隣接し合うグルーブのそれぞれに設けられており、かつこれら一対の追加のウォブリング部は、ランドを挟んで対向し、かつ同位相である。
好ましくは、上記第１から第３のグルーブには、そのグルーブから読み取られるトラックアドレスのデータのうち、いずれのトラックアドレスがそのグルーブのトラックアドレスのデータであるかを示す指示データが記録されている。
好ましくは、上記指示データの記録は、上記各グルーブの両側壁に同位相で設けられた一対のウォブリング部によりなされている。
好ましくは、上記第１から第３のグルーブのそれぞれを含んで構成される１フレーム領域の先頭部分に、上記指示データが記録されている。
好ましくは、上記複数のグルーブおよびランドは、少なくとも同一トラックにおいてディスク周方向に一定間隔で設けられた複数のクロックマークの形成領域によって区切られた複数のセグメントを含んでいる。
好ましくは、上記複数のセグメントとしては、アドレスセグメントと、ユーザ使用領域となる複数のデータセグメントとがあり、上記複数のアドレスセグメントに上記ウォブルによるアドレスデータ記録領域が形成されている。
好ましくは、上記複数のアドレスセグメントの一部には、上記アドレスデータ記録領域が形成されていない箇所が設けられており、この箇所は、ユーザ使用領域の一部としてデータの書き込みが可能に構成されている。
本発明のその他の特徴および利点については、次の発明の実施の形態の説明から、より明らかになるであろう。
【図面の簡単な説明】  図１Ａは、本発明に係る光ディスクの記録面のパターンの一例を模式的に示す要部平面図であり、図１Ｂは、その光ディスクのランドにビームスポットを照射したときに得られる信号の一例を示す説明図である。
図２は、本発明に係る光ディスクの記録面のパターンの他の例を模式的に示す要部平面図である。
図３は、本発明に係る光ディスクの記録面のパターンの他の例を模式的に示す要部平面図である。
図４は、本発明に係る光ディスクの記録面のパターンの他の例を模式的に示す要部平面図である。
図５は、本発明に係る光ディスクの記録面のパターンの他の例を模式的に示す要部平面図である。
図６Ａは、グルーブおよびランドのパターンの他の例を示す要部平面図であり、図６Ｂは、図６Ａに示すパターンにより得られる信号の一例を示す説明図である。
図７は、従来技術の一例を示す要部平面図である。
図８は、光磁気ディスクのバンドの説明図である。
図９は、複数のフレームの配列を示す図である。
図１０は、プッシュプル法の説明図である。
【発明を実施するための最良の形態】  以下、本発明の好ましい実施の形態について、図面を参照しつつ具体的に説明する。
図１Ａは、本発明が適用された光磁気ディスクの記録面のパターンを示している。本実施形態の光磁気ディスクＤは、その半径方向（矢印Ｒａ方向）に並ぶ複数のグルーブＧおよびランドＬが記録用のトラックとされたいわゆるランド・グルーブ記録方式が採用されたものである。もちろん、本実施形態とは異なり、グルーブＧとランドＬとの一方のみを記録用のトラックとした構成とすることも可能である。
グルーブＧのトラックに形成されたセグメントとしては、第１から第３のアドレスセグメント１０Ａ〜１０Ｃと、複数のデータセグメント１１とがあり、これらはファインクロックマーク２０の形成領域を挟んでディスク周方向に並んでいる。本実施形態の光磁気ディスクＤは、第１から第３のアドレスセグメント１０Ａ〜１０Ｃに関する構造に特徴があり、これ以外の構成については、従来既知の光磁気ディスクと同様な構成である。したがって、以降は、第１から第３のアドレスセグメント１０Ａ〜１０Ｃの構造に重点をおいて説明する。
この光磁気ディスクＤにおいては、第１から第３のアドレスセグメント１０Ａ〜１０Ｃに、いわゆる両ウォブルによるアドレスデータ記録領域が設けられている。
より具体的に説明すると、Ｎ番目のグルーブＧにおいては、その第１のアドレスセグメント１０Ａの両側壁に、ウォブリング部３１ａ，３１ｂが形成されている。これらのウォブリング部３１ａ，３１ｂは、ウォブルの方向が同一に揃えられた同位相となっており、ウォブリング部３１ａ，３１ｂのそれぞれによって示されるアドレスデータは互いに同一である。このアドレスデータは、適当な方式で変調されたデータである。このアドレスデータとしては、フレームアドレス、バンドアドレス、およびトラックアドレスがある。ウォブリング部３１ａ，３１ｂが示すトラックアドレスはＮである。このトラックアドレスＮは、１つのアドレスセグメント１０Ａにおいて２回繰り返して記録されている。フレームアドレスおよびバンドアドレスは、同一フレームおよび同一バンドのトラックであれば、共通のデータであるため、読み取りの過誤を少なくすることができるのに対し、トラックアドレスについては誤検出を回避するために２回繰り返されている。この点については、第１から第３のアドレスセグメント１０Ａ〜１０Ｃに設けられた他のウォブリング部においても同様である。
Ｎ番目のグルーブＧにおける第３のアドレスセグメント１０Ｃの両側壁には、ウォブリング部３３ａ’，３３ｂ’が形成されている。これらのウォブリング部３３ａ’，３３ｂ’も、互いに同位相にウォブルされており、これらが示すトラックアドレスは、これらが設けられているＮ番目のグルーブＧよりも１つの前のアドレスである（Ｎ−１）となっている。
このように、Ｎ番目のグルーブＧにおいては、ウォブリング部３１ａ，３１ｂがこのグルーブＧの本来のトラックアドレスを示すのに対し、ウォブリング部３３ａ’，３３ｂ’は隣接するグルーブＧのトラックアドレスを示すものとなっている。同グルーブＧの第２のアドレスセグメント１０Ｂは、アドレスデータが記録されていない領域とされている。
（Ｎ＋１）番目のグルーブＧにおいては、第１および第２のアドレスセグメント１０Ａ，１０Ｂの両側壁に、ウォブリング部３１ａ’，３１ｂ’，３２ａ，３２ｂが形成されている。ウォブリング部３１ａ’，３１ｂ’は、上記したＮ番目のグルーブＧのウォブリング部３１ａ，３１ｂと同位相のウォブルとされており、これらが示すトラックアドレスはＮである。ウォブリング部３２ａ，３２ｂは、互いに同位相にウォブルされており、これらが示すトラックアドレスは（Ｎ＋１）である。同グルーブＧの第３のアドレスセグメント１０Ｃは、アドレスデータが記録されていない領域とされている。
（Ｎ＋２）番目のグルーブＧにおいては、第２および第３のアドレスセグメント１０Ｂ，１０Ｃの両側壁に、ウォブリング部３２ａ’，３２ｂ’，３３ａ，３３ｂが形成されている。ウォブリング部３２ａ’，３２ｂ’は、ウォブリング部３２ａ，３２ｂと同位相にウォブルされており、これらが示すトラックアドレスは（Ｎ＋１）である。ウォブリング部３３ａ，３３ｂも、互いに同位相にウォブルされており、これらが示すトラックアドレスは（Ｎ＋２）である。同グルーブＧの第１のアドレスセグメント１０Ａは、アドレスデータが記録されていない領域である。
（Ｎ＋３）番目以降のグルーブＧのアドレスセグメントについては、基本的には、上記したＮ番目、（Ｎ＋１）番目、および（Ｎ＋２）番目の計３つのグルーブＧのアドレスセグメントと同様な構成が繰り返されている構成となっている。すなわち、（Ｎ＋３）番目のグルーブＧの第１のアドレスセグメント１０Ａの両側壁には、アドレスデータが（Ｎ＋３）であることを示す同位相のウォブリング部３１ｃ，３１ｄが形成されているとともに、同グルーブＧの第３のアドレスセグメント１０Ｃの両側壁には、（Ｎ＋２）番目のグルーブＧのウォブリング部３３ａ，３３ｂと同位相のウォブリング部３３ａ’，３３ｂ’が形成されている。（Ｎ＋４）番目のグルーブＧの第１のアドレスセグメント１０Ａの両側壁には、アドレスデータが（Ｎ＋３）であることを示すウォブリング部３１ｃ，３１ｄと同位相のウォブリング部３１ｃ’，３１ｄ’が形成されているとともに、同グルーブＧの第２のアドレスセグメント１０Ｂの両側壁には、アドレスデータが（Ｎ＋４）であることを示すウォブリング部３２ｃ，３２ｄが形成されている。
次に、光磁気ディスクＤの作用について説明する。
まず、グルーブＧにビームスポットを当ててアドレスデータを読み出す場合には、２つのトラックアドレスが読み出される。より具体的には、たとえばＮ番目のグルーブＧについては、ウォブリング部３１ａ，３１ｂからトラックアドレスがＮであることが読み出されるとともに、ウォブリング部３３ａ’，３３ｂ’からはトラックアドレスが（Ｎ−１）であることが読み出される。グルーブＧのアドレスデータの読み出しについては、数値の大きい方のトラックアドレスがそのグルーブＧの本来のトラックアドレスとして選択されるように光磁気ディスク装置の制御回路を設定しておく。このことにより、たとえばＮ番目のグルーブＧについては、Ｎおよび（Ｎ−１）のうちから、数値が大きい方のＮのトラックアドレスが適正に選択されることとなる。Ｎ番目以外のグルーブＧについても、それと同様に、それらのトラックアドレスが適正に読み出し可能である。
また、たとえばＮ番目のグルーブＧの第１のアドレスセグメント１０Ａにビームスポットを当ててアドレスデータを読み出す際には、２つのウォブリング部３１ａ，３１ｂからの反射光が得られることとなる。これら２つのウォブリング部３１ａ，３１ｂは、互いに同位相にウォブルされているために、たとえばこれら２つのうちの一方しか形成されていない場合と比較すると、トータルのウォブル量は２倍となる。このため、図１０を参照して説明したプッシュプル法において検出されるウォブルの検出信号（プッシュプル信号）が約２倍の振幅をもつものとなり、ウォブルの検出精度、すなわちアドレスデータの読み出し精度が高まる。この光磁気ディスクＤにおいては、アドレスデータが示されたアドレスセグメントは、いずれも同位相の２つのウォブリング部が設けられた構成とされているために、いずれのグルーブＧのアドレスを読む場合にも、上記したのと同様な作用が得られる。
上記したような原理によってアドレスデータの検出精度を高めることができれば、光磁気ディスク装置の光検出系において、サーボ用の光量をあまり多くする必要がなくなる。したがって、その分だけデータセグメント１１からのデータ読み出しのための光磁気信号検出用の光量を多くし、光磁気信号のＳ／Ｎを高めることも可能となる。また、既述したように、データの読み書きに用いるレーザ光として、赤色レーザに代えて、青色レーザを用いると、光検出器の感度が低下する傾向があるものの、上記のように本実施形態の光磁気ディスクＤはアドレスデータの検出感度を高めることができるために、青色レーザを用いる次世代の光磁気ディスク装置にも適合するものとなる。
この光磁気ディスクＤの製造に際しては、１つのアドレスセグメントの両側壁に２つのウォブリング部を設ける必要があるものの、これら２つのウォブリング部は同位相であるために、１つのレーザビームを用いる手法によって形成することができる。したがって、トラックピッチを微小にしてデータ記録密度を高めるのにも好適となる。
この光磁気ディスクＤにおいては、次に述べるように、各ランドＬについてのアドレスデータも適切に読み出すことが可能である。
図１Ａに示すビームスポットＢｓをランドＬに沿って矢印Ｎａ方向に移動させていくと、このランドＬを挟んでいる２つのグルーブＧに形成されているウォブリング部３１ｂ’，３２ｂ，３２ａ’，３３ａが順次読み取られていく。この場合、ランドＬのトラックアドレスを適正に示すウォブリング部３２ｂ，３２ａ’は、同位相であり、これらは同時に読み取られるために、その検出信号は、図１Ｂの符号Ｓｂで示すように、大きな振幅となる。これに対し、ウォブリング部３１ｂ’，３３ａのそれぞれはランドＬの片方のみに存在し、ランドＬを挟んでそれらに対向する部分にはウォブリング部が形成されていない。したがって、それらの検出信号は、図１Ｂの符号Ｓａ，Ｓｃに示すように、符号Ｓｂで示した信号の半分程度の小さな振幅となる。このようなことから、これら符号Ｓａ〜Ｓｃで示す検出信号を処理する場合に、符号Ｓａ，Ｓｃの信号をカットするための閾値を用いて信号検出処理を行なえば、符号Ｓｂで示す信号のみを適切に取り出し、これに基づいてランドＬのトラックアドレスのデータを適切に読み出すことが可能となる。この光磁気ディスクＤにおいては、複数のランドＬのいずれについても、ランドＬのアドレスを適正に示す２つの同位相のウォブリング部によって挟まれた部分が設けられている。したがって、いずれのランドＬについてもアドレスの読み出しを適切に行なうことができる。
図２〜図５は、本発明の他の例を示している。これらの図において、上記実施形態と同一または類似の要素には、上記実施形態と同一の符号を付している。
図２に示す２つずつのアドレスセグメント１０Ａ，１０Ｂは、図１Ａに示した（Ｎ＋１）番目および（Ｎ＋２）番目のグルーブＧにおける第１および第２のアドレスセグメント１０Ａ，１０Ｂに対応するものである。ただし、図１Ａに示した（Ｎ＋２）番目のグルーブＧにおける第１のアドレスセグメント１０Ａにはウォブリング部が全く設けられていないのに対し、これに対応する本実施形態のアドレスセグメント１０Ａ（１０Ａ’）の両側壁には、ウォブリング部３１０ａ’，３１０ｂ’と、ウォブリング部３１１ａ’，３１１ｂ’とが形成されており、この点が相違している。
（Ｎ＋１）番目のグルーブＧにおける第１のアドレスセグメント１０Ａの２つのウォブリング部３１ａ’，３１ｂ’には、プリアンブル、シンク、フレームアドレス、およびバンドアドレスの各データを示すウォブリング部３１０ａ，３１０ｂが含まれている。さらに、ウォブリング部３１ａ’，３１ｂ’には、再度のプリアンブルとリシンクとを示すウォブリング部３１１ａ，３１１ｂも含まれている。ウォブリング部３１ａ’，３１ｂ’のうち、上記以外の部分が、トラックアドレスとデータエラーチェックを行なうためのＣＲＣのデータを示す部分である。ウォブリング部３１０ａ’，３１０ｂ’は、ウォブリング部３１０ａ，３１０ｂと同一内容のデータを示しており、それらウォブリング部３１０ａ，３１０ｂと同位相である。また、ウォブリング部３１１ａ’，３１１ｂ’は、ウォブリング部３１１ａ，３１１ｂと同一内容のデータを示しており、それらウォブリング部３１１ａ，３１１ｂと同位相である。
このような構成によれば、（Ｎ＋２）番目のグルーブＧにおける第１のアドレスセグメント１０Ａ（１０Ａ’）にも、プリアンブルなどのデータが付加されるために、図１Ａに示した実施形態の場合と比較すると、フレームの先頭の位置がより明確となる。このように、本発明においては、トラックアドレスを記録させておく必要がないアドレスセグメントに対して、トラックアドレスやＣＲＣ以外のデータを記録させた構成にしてもかまわない。図１Ａに示した構成においては、第２および第３のアドレスセグメント１０Ｂ，１０Ｃとしても、ウォブリング部がなんら設けられていないものが存在するが、それらのアドレスセグメントに対してもトラックアドレスやＣＲＣ以外の共通のデータを示すウォブリング部を設けてもよいことは勿論である。
図３に示す構成においては、グルーブＧのアドレスセグメントとしては、第１および第２のアドレスセグメント１０Ａ，１０Ｂのみが設けられている。この構成においては、図１Ａに示した実施形態の第３のアドレスセグメント１０Ｃに相当するセグメントが設けられていない。第１のアドレスセグメント１０Ａは、同図の左寄り領域ｓ１と右寄り領域ｓ２とに分けられており、かつこれら２つの領域ｓ１，ｓ２の双方または一方に、Ｎ，（Ｎ＋１）、（Ｎ＋２）、または（Ｎ＋３）などのトラックアドレスを含むアドレスデータのウォブリング部３０が適宜設けられている。これに対し、第２のアドレスセグメント１０Ｂには、同図の左寄り領域ｓ３のみがアドレスデータを示す領域とされ、ウォブリング部３０が適宜設けられている。また、各ウォブリング部３０は、いずれも同一のトラックアドレスを２回繰り返すものではなく、１回のみであり、この点においても図１Ａに示した実施形態とは異なった構成となっている。
光磁気ディスクにレーザ光を照射してデータを読み出す場合、レーザ光を光磁気ディスクの透明基板に照射することによりこの透明基板を透過した光を記録面に到達させる方式と、透明基板とは反対側に位置する厚みが小さい透明保護膜側から記録面に対してレーザ光を照射する方式とがある。本発明のいわゆる両ウォブル方式によれば、従来技術のいわゆる片ウォブル方式に比べてチルトの影響を受け難くなっているが、上記後者の方式を採用すれば、データ読み出し時における光磁気ディスクのチルトの影響をさらに受け難くすることが可能となる。したがって、トラックアドレスが２回繰り返して記憶されていなくても、トラックアドレスを適切に読み出すことが可能である。図３に示した構成は、そのような方式を採用する場合に好適である。
図３に示した実施形態では、同一のトラックアドレスが１つのトラック上において２回繰り返されていないこと、およびアドレスセグメントが第１および第２のアドレスセグメント１０Ａ，１０Ｂのみとされてその総数が少なくされていることにより、アドレスデータ領域の縮小が図られている。このため、ユーザ用データ領域の拡大を図ることができる。とくに、第２のアドレスセグメント１０Ｂの右寄りの領域ｓ４については、データセグメント１１と同様に、磁気記録データ領域として使用することができる。したがって、フォーマット効率を高め、データ記憶容量の増加を図るのに好適となる。
図３においては、たとえば符号ｎ１で示す第１のアドレスセグメント１０Ａの右寄り領域ｓ２と、符号ｎ２で示す第２のアドレスセグメント１０Ｂの左寄り領域ｓ３とには、ウォブリング部が形成されていない構成となっている。本発明においては、図２を参照して説明した内容と同様に、そのような部分にプリアンブルやその他のデータを示すウォブリング部を形成することができる。より具体的には、たとえば図４に示すように、上記したアドレスセグメントに対応するものとして、符号ｎ１’，ｎ２’で示されたアドレスセグメント１０Ａ，１０Ｂには、ウォブリング部３００ａ’，３００ｂ’が形成されている。ウォブリング部３００ａ’は、符号ｎ３で示す隣接のアドレスセグメント１０Ａのウォブリング部３０に含まれている再度のプリアンブルやリシンクのデータを示すウォブリング部３００ａと同位相である。また、ウォブリング部３００ｂ’は、符号ｎ４で示す隣接のアドレスセグメント１０Ｂのウォブリング部３０に含まれているプリアンブル、シンク、フレームアドレス、およびバンドアドレスのデータを示すウォブリング部３００ｂと同位相である。このような構成においても、図２に示した場合と同様に、データの読み出しに際し、フレームの先頭を認識し易くなる。
図５に示す構成においては、第１のアドレスセグメント１０Ａの右寄り領域ｓ６と、第２のアドレスセグメント１０Ｂの左寄りおよび右寄りの領域ｓ７，ｓ８とには、ウォブリング部３０が一定の配列で形成されている。これらのウォブリング部３０は、互いに対向するものどうしが同位相の関係にあることは先の実施形態と同様である。第１のアドレスセグメント１０Ａの左寄り領域ｓ５（先頭領域）には、図６Ａに示すような平面視のパターンが形成されている。同図に示すパターンによれば、Ｎ、（Ｎ＋１）、および（Ｎ＋２）番目のそれぞれのランドＬ（Ｎ），Ｌ（Ｎ＋１），Ｌ（Ｎ＋２）をビームスポットが通過することにより得られるプッシュプル信号は、図６Ｂの（ａ）〜（ｃ）に示すような波形となる。図６Ａに示す部分のうち、同位相にウォブルされた部分においては、他の部分よりもプッシュプル信号の振幅が大きくなるからである。ここで、図６Ｂの（ａ）〜（ｃ）に示すプッシュプル信号のうち、振幅が大きい部分を「１」とし、かつ小さい部分を「０」とすると、ランドＬ（Ｎ）では（１，０）の信号が、ランドＬ（Ｎ＋１）では（０，１）の信号が、ランドＬ（Ｎ＋２）では（０，０）の信号が得られる。これらの信号により３種類のランドＬ（Ｎ），Ｌ（Ｎ＋１），Ｌ（Ｎ＋２）を区別することができる。したがって、このデータにより、ランドＬで読み取られるトラックアドレスのうち、いずれのアドレスを採用するかを判断することができる。
具体的には、図５に示す構成において、ランドＬ（Ｎ）の部分にビームスポットを通過させるときには、Ｎ，（Ｎ＋１）および（Ｎ−１）の３つのトラックアドレスがそれらの順序で読み出されるが、上記信号が検出されたときには、１番目に読み取られるトラックアドレスを採用する旨を予め定めておく。このようにすれば、２番目、３番目に読み取られる（Ｎ＋１），（Ｎ−１）のアドレスが誤って採用されないこととなる。同様に、上記信号に基づき、ランドＬ（Ｎ＋１）については２番目に読み取られるアドレスが、またランドＬ（Ｎ＋２）については３番目に読み取られるアドレスが採用されるようにすることができる。既述したとおり、ウォブリング部がランドＬの片方のみに設けられた部分においては、プッシュプル信号の振幅が小さくなるため、これを誤って適正なトラックアドレスとして検出されることは防止されるが、これに加えて上記したような手法を採用すれば、トラックアドレスを誤って検出する虞れをより確実に防止することが可能である。
本発明は、上述した実施形態の内容に限定されない。本発明に係る光ディスクの各部の具体的な構成は、種々に設計変更自在である。
本発明においては、１つのトラックまたはフレームに設けられるアドレスセグメントの具体的な数は２つ、または３つに限らない。たとえば、アドレスセグメントを１つのみとして、この１つのアドレスセグメントに、Ｎ，（Ｎ＋１）、または（Ｎ＋２）などの複数種類のトラックアドレスを示すウォブリング部をディスクの周方向に並ぶように形成してもかまわない。
本発明に係る光ディスクは、冒頭の定義から理解されるように、光磁気ディスクに限定されるものではない。本発明は、アドレスデータの記録にウォブルを用いたものであれば、種々の光ディスクに適用することが可能である。
2004059633.tif 000003
【図２】
2004059633.tif 000004
【図３】
2004059633.tif 000005
【図４】
2004059633.tif 000006
【図５】
2004059633.tif 000007
2004059633.tif 000008
【図７】
2004059633.tif 000009
【図８】
2004059633.tif 000010
【図９】
2004059633.tif 000011
【図１０】
2004059633.tif 000012
【手続補正書】
【提出日】平成17年1月27日(2005.1.27)
【手続補正１】
【補正対象書類名】明細書
【補正対象項目名】全文
【補正方法】変更
【補正の内容】
【書類名】    明細書
【特許請求の範囲】
【請求項１】複数のグルーブと複数のランドとがディスク半径方向に交互に設けられており、かつ上記複数のグルーブには、ウォブルによるアドレスデータ記録領域が形成されている、光ディスクであって、
上記アドレスデータ記録領域は、同位相の一対のウォブリング部が上記グルーブの両側壁に形成された構成を有していることを特徴とする、光ディスク。
【請求項２】上記複数のグルーブは、ディスク半径方向に隣り合うグルーブごとに、同位相の一対のウォブリング部が形成された構成とされており、
上記各ランドには、それら一対のウォブリング部によって挟まれた部分が設けられている、請求項１に記載の光ディスク。
【請求項３】上記複数のグルーブに設けられたアドレスデータ記録領域としては、上記各グルーブの個々のアドレスを示す第１の記録領域と、上記各グルーブに隣接する他のグルーブのアドレスを示す第２の記録領域とがあり、
上記複数のグルーブは、１つのグルーブの第１の記録領域と、それに隣接する他の１つのグルーブの第２の記録領域とが、上記ランドを挟んで向かい合い、かつそれらのウォブリング部は同位相となった構成を有している、請求項２に記載の光ディスク。
【請求項４】上記複数のグルーブの第１および第２の記録領域は、ディスク半径方向に隣り合うグルーブ間においてディスク周方向に位置ずれした配列に設けられ、
上記ランドを挟んで上記第１および第２の記録領域どうしが向かい合う部分は、ディスク半径方向において互いに隣接しないように構成されている、請求項３に記載の光ディスク。
【請求項５】上記複数のグルーブは、第１から第３のグルーブがディスク半径方向に繰り返して並び、かつトラックアドレスのデータの記録が回避された非トラックアドレス領域を有している構成とされており、
上記第１のグルーブは、この第１のグルーブのトラックアドレスを示す領域、上記非トラックアドレス領域、およびこの第１のグルーブに隣接する第３のグルーブのトラックアドレスを示す領域が、これらの順序でディスク周方向に形成された構成を有しており、
上記第２のグルーブは、隣接する第１のグルーブのトラックアドレスを示す領域、この第２のグルーブのトラックアドレスを示す領域、および上記非トラックアドレス領域が、これらの順序でディスク周方向に形成された構成を有しており、
上記第３のグルーブは、上記非トラックアドレス領域、隣接する第２のグルーブのトラックアドレスを示す領域、およびこの第３のグルーブのトラックアドレスを示す領域が、これらの順序でディスク周方向に形成された構成を有している、請求項４に記載の光ディスク。
【発明の詳細な説明】
【０００１】
【技術分野】
本発明は、光ディスクに関する。本明細書でいう「光ディスク」とは、光学的手段を用いることによりデータの記録および／または再生が可能なディスクを意味しており、ＣＤ−ＲＯＭなどの読み取り専用の狭義の光ディスクに加え、光磁気記録方式、相変化方式、あるいは有機色素変化方式などによってデータの書き込みが可能なタイプのディスクをも含む広い概念である。
【０００２】
【背景技術】
光ディスクは、高密度化が進んでおり、光磁気ディスクを一例に挙げると、この光磁気ディスクの規格としては、たとえばＡＳ−ＭＯ（Advanced Storaged  Magneto Optical Disk) がある。同規格の光磁気ディスクは、直径１２０ｍｍの片面で、６ＧＢ程度の記憶容量をもっている。この光磁気ディスクは、図７に示すように、半径方向（矢印Ｒａ方向）にグルーブＧとランドＬとが交互に形成されることによりトラックが構成されている。各トラックには、複数のファインクロックマーク７０を光磁気ディスクの周方向に一定間隔で形成するためのエリアが設けられており、各トラックは、このエリアによって複数のセグメントに分割されている。これら複数のセグメントとしては、アドレスセグメント８とデータセグメント９とがあり、１フレームは、１個のアドレスセグメント８と３８個のデータセグメント９により構成されている。データセグメント９は、光磁気記録方式によりユーザがデータを記録する領域であるのに対し、アドレスセグメント８は、トラックアドレスなどのアドレスデータを記録する領域である。
【０００３】
光磁気ディスクの記録領域は、図８に示すように、複数のバンドＢ（ゾーン）に区分されており、各バンドＢ内においては、複数のフレームが半径方向および周方向に並んでいる。周方向においては、図９に示すように、フレーム１からフレームｎまで並び、１周すると、またフレーム１となる。各バンドＢ内において、半径方向に並ぶ複数のフレームの番号（フレームアドレス）は同一となっている。
【０００４】
図７に示したアドレスセグメント８に記録されるアドレスデータとしては、フレームアドレス、バンドアドレス、およびトラックアドレスがある。
【０００５】
アドレスセグメント８へのアドレスデータの記録方式としては、グルーブＧの一側壁にウォブリング部８０を設けるいわゆるウォブル方式が採用されている。なお、図面においては、ウォブリング部８０の形状を模式的に示している。これは、後述する図１〜図６の他の添付図面においても同様である。アドレスデータのうち、たとえばグルーブＧのトラックＮ，（Ｎ＋１），あるいは（Ｎ＋２）などのトラックアドレスについては、正確な読み取りを行なわせることを目的として、１つのアドレスセグメント８に、２つのウォブリング部８０ａ，８０ｂがディスク周方向に並べて設けられている。これら２つのウォブリング部８０ａ，８０ｂは、グルーブＧの一対の側壁のそれぞれに分けて設けられたスタガ方式とされている。このようなスタガ方式にすれば、光磁気ディスクがチルトしたときに、２つのウォブリング部８０ａ，８０ｂのいずれか一方の検出が困難になったとしても、他方の検出は可能であることから、アドレスデータの読み出しの確実化が図られる。
【０００６】
上記したアドレスデータの読み出しには、プッシュプル法が用いられている。このプッシュプル法を簡単に説明すると、まず、図１０に示すように、対物レンズ６０によって集光されたレーザ光がランドＬおよびグルーブＧが形成された凹凸面に照射され、かつこの光が反射されると、プラスおよびマイナスの反射回折光Ｒ１が発生する。その結果、対物レンズ６０には、直接反射光Ｒ０に加えてそれらの反射回折光Ｒ１も入射する。このような戻り光を２つの受光エリア６１ａ，６１ｂをもつ２分割検出器６１により受光させ、かつこの検出器６１から出力される２つの受光エリア６１ａ，６１ｂにおける受光量に対応した信号ＳＧ１，ＳＧ２の差分をとる。この信号が、プッシュプル信号であり、この信号に基づき、ウォブリング部のうち、レーザ光が照射された部分のウォブル量を判断可能である。
【０００７】
上記したアドレスセグメント８およびデータセグメント９を備えた光磁気ディスクのパターンは、フォトレジストを塗布したガラス原盤を回転させながら、対物レンズによって集光させたレーザビームを半径方向に移動させることにより露光し、かつその現像を行なうことにより形成される。その露光の際には、１つのレーザビームを２つのビームに分割し、ウォブリング部８０に対応する部分を露光するときには、それら２つのビームの一方のみをウォブルさせる制御を行なう。このようにすれば、一側壁がウォブルされ、かつそれとは反対の側壁が非ウォブル状態のグルーブＧを形成可能である。
【０００８】
しかしながら、上記従来技術においては、次のような問題点があった。
【０００９】
第１に、ＡＳ−ＭＯ規格の光磁気ディスクにおいては、トラックピッチが０．６μｍであり、この程度のピッチであれば、上記した２つのレーザビームを用いる方法によってグルーブＧの一側壁にウォブリング部８０を適切に形成可能である。ところが、データ記録密度をより高めることを目的として、たとえばトラックピッチを０．３μｍ程度に狭めようとした場合、上記２つのレーザビームを用いる手法では、グルーブＧのウォブリング部８０を適切に形成することが困難となる。なぜなら、それらのビームスポットの中心間隔を小さくしていくと、それらの重なり度合いが大きくなり、実質的に１つのビームスポットと同様なものになってしまうからである。
【００１０】
第２に、ＡＳ−ＭＯ規格の光磁気ディスクにおいては、波長が６５０ｎｍ程度の赤色レーザが用いられる。これに対して、光磁気ディスクのさらなる高密度化を図るには、それよりも波長が短い青色レーザ（たとえば波長が４０５ｎｍ程度）を用いて、ビームスポットの微小化を図ることが望まれる。ところが、青色レーザを用いると、赤色レーザを用いる場合よりも、検出器の感度が低下するため、ウォブリング部８０の検出が不正確となる虞れが大となる。とくに、光磁気ディスク装置の光検出系においては、光検出器が光磁気信号検出用とサーボ信号検出用とに分けられているために、ウォブリング部８０の検出に利用される光量が少なくなり、その検出が不正確となり易い。さらには、光磁気信号のＳ／Ｎを高めるためには、サーボ用の光量を少なくして、光磁気信号検出用の光量を多くする必要があるため、その傾向は一層強くなる。
【００１１】
【発明の開示】
本発明の目的は、上記の問題点を解消または軽減することができる光ディスクを提供することにある。
【００１２】
本発明によって提供される光ディスクは、複数のグルーブと複数のランドとがディスク半径方向に交互に設けられており、かつ上記複数のグルーブには、ウォブルによるアドレスデータ記録領域が形成されている、光ディスクであって、上記アドレスデータ記録領域は、同位相の一対のウォブリング部が上記グルーブの両側壁に形成された構成を有していることを特徴としている。
【００１３】
好ましくは、上記複数のグルーブは、ディスク半径方向に隣り合うグルーブごとに、同位相の一対のウォブリング部が形成された構成とされており、上記各ランドには、それら一対のウォブリング部によって挟まれた部分が設けられている。
【００１４】
好ましくは、上記複数のグルーブに設けられたアドレスデータ記録領域としては、上記各グルーブの個々のアドレスを示す第１の記録領域と、上記各グルーブに隣接する他のグルーブのアドレスを示す第２の記録領域とがあり、上記複数のグルーブは、１つのグルーブの第１の記録領域と、それに隣接する他の１つのグルーブの第２の記録領域とが、上記ランドを挟んで向かい合い、かつそれらのウォブリング部は同位相となった構成を有している。
【００１５】
好ましくは、上記複数のグルーブの第１および第２の記録領域は、ディスク半径方向に隣り合うグルーブ間においてディスク周方向に位置ずれした配列に設けられ、上記ランドを挟んで上記第１および第２の記録領域どうしが向かい合う部分は、ディスク半径方向において互いに隣接しないように構成されている。
【００１６】
好ましくは、上記複数のグルーブは、第１から第３のグルーブがディスク半径方向に繰り返して並び、かつトラックアドレスのデータの記録が回避された非トラックアドレス領域を有している構成とされており、上記第１のグルーブは、この第１のグルーブのトラックアドレスを示す領域、上記非トラックアドレス領域、およびこの第１のグルーブに隣接する第３のグルーブのトラックアドレスを示す領域が、これらの順序でディスク周方向に形成された構成を有しており、上記第２のグルーブは、隣接する第１のグルーブのトラックアドレスを示す領域、この第２のグルーブのトラックアドレスを示す領域、および上記非トラックアドレス領域が、これらの順序でディスク周方向に形成された構成を有しており、上記第３のグルーブは、上記非トラックアドレス領域、隣接する第２のグルーブのトラックアドレスを示す領域、およびこの第３のグルーブのトラックアドレスを示す領域が、これらの順序でディスク周方向に形成された構成を有している。
【００１７】
好ましくは、上記各非トラックアドレス領域には、トラックアドレスとは異なるデータを示す追加のウォブリング部が形成されている。
【００１８】
好ましくは、上記追加のウォブリング部が示す情報は、互いに隣接し合うグルーブに共通の情報である。
【００１９】
好ましくは、上記追加のウォブリング部は、ディスク半径方向に隣接し合うグルーブのそれぞれに設けられており、かつこれら一対の追加のウォブリング部は、ランドを挟んで対向し、かつ同位相である。
【００２０】
好ましくは、上記第１から第３のグルーブには、そのグルーブから読み取られるトラックアドレスのデータのうち、いずれのトラックアドレスがそのグルーブのトラックアドレスのデータであるかを示す指示データが記録されている。
【００２１】
好ましくは、上記指示データの記録は、上記各グルーブの両側壁に同位相で設けられた一対のウォブリング部によりなされている。
【００２２】
好ましくは、上記第１から第３のグルーブのそれぞれを含んで構成される１フレーム領域の先頭部分に、上記指示データが記録されている。
【００２３】
好ましくは、上記複数のグルーブおよびランドは、少なくとも同一トラックにおいてディスク周方向に一定間隔で設けられた複数のクロックマークの形成領域によって区切られた複数のセグメントを含んでいる。
【００２４】
好ましくは、上記複数のセグメントとしては、アドレスセグメントと、ユーザ使用領域となる複数のデータセグメントとがあり、上記複数のアドレスセグメントに上記ウォブルによるアドレスデータ記録領域が形成されている。
【００２５】
好ましくは、上記複数のアドレスセグメントの一部には、上記アドレスデータ記録領域が形成されていない箇所が設けられており、この箇所は、ユーザ使用領域の一部としてデータの書き込みが可能に構成されている。
【００２６】
本発明のその他の特徴および利点については、次の発明の実施の形態の説明から、より明らかになるであろう。
【００２７】
【発明を実施するための最良の形態】
以下、本発明の好ましい実施の形態について、図面を参照しつつ具体的に説明する。
【００２８】
図１Ａは、本発明が適用された光磁気ディスクの記録面のパターンを示している。本実施形態の光磁気ディスクＤは、その半径方向（矢印Ｒａ方向）に並ぶ複数のグルーブＧおよびランドＬが記録用のトラックとされたいわゆるランド・グルーブ記録方式が採用されたものである。もちろん、本実施形態とは異なり、グルーブＧとランドＬとの一方のみを記録用のトラックとした構成とすることも可能である。
【００２９】
グルーブＧのトラックに形成されたセグメントとしては、第１から第３のアドレスセグメント１０Ａ〜１０Ｃと、複数のデータセグメント１１とがあり、これらはファインクロックマーク２０の形成領域を挟んでディスク周方向に並んでいる。本実施形態の光磁気ディスクＤは、第１から第３のアドレスセグメント１０Ａ〜１０Ｃに関する構造に特徴があり、これ以外の構成については、従来既知の光磁気ディスクと同様な構成である。したがって、以降は、第１から第３のアドレスセグメント１０Ａ〜１０Ｃの構造に重点をおいて説明する。
【００３０】
この光磁気ディスクＤにおいては、第１から第３のアドレスセグメント１０Ａ〜１０Ｃに、いわゆる両ウォブルによるアドレスデータ記録領域が設けられている。
【００３１】
より具体的に説明すると、Ｎ番目のグルーブＧにおいては、その第１のアドレスセグメント１０Ａの両側壁に、ウォブリング部３１ａ，３１ｂが形成されている。これらのウォブリング部３１ａ，３１ｂは、ウォブルの方向が同一に揃えられた同位相となっており、ウォブリング部３１ａ，３１ｂのそれぞれによって示されるアドレスデータは互いに同一である。このアドレスデータは、適当な方式で変調されたデータである。このアドレスデータとしては、フレームアドレス、バンドアドレス、およびトラックアドレスがある。ウォブリング部３１ａ，３１ｂが示すトラックアドレスはＮである。このトラックアドレスＮは、１つのアドレスセグメント１０Ａにおいて２回繰り返して記録されている。フレームアドレスおよびバンドアドレスは、同一フレームおよび同一バンドのトラックであれば、共通のデータであるため、読み取りの過誤を少なくすることができるのに対し、トラックアドレスについては誤検出を回避するために２回繰り返されている。この点については、第１から第３のアドレスセグメント１０Ａ〜１０Ｃに設けられた他のウォブリング部においても同様である。
【００３２】
Ｎ番目のグルーブＧにおける第３のアドレスセグメント１０Ｃの両側壁には、ウォブリング部３３a', ３３b'が形成されている。これらのウォブリング部３３a', ３３b'も、互いに同位相にウォブルされており、これらが示すトラックアドレスは、これらが設けられているＮ番目のグルーブＧよりも１つの前のアドレスである（Ｎ−１）となっている。
【００３３】
このように、Ｎ番目のグルーブＧにおいては、ウォブリング部３１ａ，３１ｂがこのグルーブＧの本来のトラックアドレスを示すのに対し、ウォブリング部３３a', ３３b'は隣接するグルーブＧのトラックアドレスを示すものとなっている。同グルーブＧの第２のアドレスセグメント１０Ｂは、アドレスデータが記録されていない領域とされている。
【００３４】
（Ｎ＋１）番目のグルーブＧにおいては、第１および第２のアドレスセグメント１０Ａ，１０Ｂの両側壁に、ウォブリング部３１a', ３１b'，３２ａ，３２ｂが形成されている。ウォブリング部３１a', ３１b'は、上記したＮ番目のグルーブＧのウォブリング部３１ａ，３１ｂと同位相のウォブルとされており、これらが示すトラックアドレスはＮである。ウォブリング部３２ａ，３２ｂは、互いに同位相にウォブルされており、これらが示すトラックアドレスは（Ｎ＋１）である。同グルーブＧの第３のアドレスセグメント１０Ｃは、アドレスデータが記録されていない領域とされている。
【００３５】
（Ｎ＋２）番目のグルーブＧにおいては、第２および第３のアドレスセグメント１０Ｂ，１０Ｃの両側壁に、ウォブリング部３２a'，３２b', ３３ａ，３３ｂが形成されている。ウォブリング部３２a'，３２b'は、ウォブリング部３２ａ，３２ｂと同位相にウォブルされており、これらが示すトラックアドレスは（Ｎ＋１）である。ウォブリング部３３ａ，３３ｂも、互いに同位相にウォブルされており、これらが示すトラックアドレスは（Ｎ＋２）である。同グルーブＧの第１のアドレスセグメント１０Ａは、アドレスデータが記録されていない領域である。
【００３６】
（Ｎ＋３）番目以降のグルーブＧのアドレスセグメントについては、基本的には、上記したＮ番目、（Ｎ＋１）番目、および（Ｎ＋２）番目の計３つのグルーブＧのアドレスセグメントと同様な構成が繰り返されている構成となっている。すなわち、（Ｎ＋３）番目のグルーブＧの第１のアドレスセグメント１０Ａの両側壁には、アドレスデータが（Ｎ＋３）であることを示す同位相のウォブリング部３１ｃ，３１ｄが形成されているとともに、同グルーブＧの第３のアドレスセグメント１０Ｃの両側壁には、（Ｎ＋２）番目のグルーブＧのウォブリング部３３ａ，３３ｂと同位相のウォブリング部３３a'，３３b'が形成されている。（Ｎ＋４）番目のグルーブＧの第１のアドレスセグメント１０Ａの両側壁には、アドレスデータが（Ｎ＋３）であることを示すウォブリング部３１ｃ，３１ｄと同位相のウォブリング部３１c', ３１d'が形成されているとともに、同グルーブＧの第２のアドレスセグメント１０Ｂの両側壁には、アドレスデータが（Ｎ＋４）であることを示すウォブリング部３２ｃ，３２ｄが形成されている。
【００３７】
次に、光磁気ディスクＤの作用について説明する。
【００３８】
まず、グルーブＧにビームスポットを当ててアドレスデータを読み出す場合には、２つのトラックアドレスが読み出される。より具体的には、たとえばＮ番目のグルーブＧについては、ウォブリング部３１ａ，３１ｂからトラックアドレスがＮであることが読み出されるとともに、ウォブリング部３３a', ３３b'からはトラックアドレスが（Ｎ−１）であることが読み出される。グルーブＧのアドレスデータの読み出しについては、数値の大きい方のトラックアドレスがそのグルーブＧの本来のトラックアドレスとして選択されるように光磁気ディスク装置の制御回路を設定しておく。このことにより、たとえばＮ番目のグルーブＧについては、Ｎおよび（Ｎ−１）のうちから、数値が大きい方のＮのトラックアドレスが適正に選択されることとなる。Ｎ番目以外のグルーブＧについても、それと同様に、それらのトラックアドレスが適正に読み出し可能である。
【００３９】
また、たとえばＮ番目のグルーブＧの第１のアドレスセグメント１０Ａにビームスポットを当ててアドレスデータを読み出す際には、２つのウォブリング部３１ａ，３１ｂからの反射光が得られることとなる。これら２つのウォブリング部３１ａ，３１ｂは、互いに同位相にウォブルされているために、たとえばこれら２つのうちの一方しか形成されていない場合と比較すると、トータルのウォブル量は２倍となる。このため、図１０を参照して説明したプッシュプル法において検出されるウォブルの検出信号（プッシュプル信号）が約２倍の振幅をもつものとなり、ウォブルの検出精度、すなわちアドレスデータの読み出し精度が高まる。この光磁気ディスクＤにおいては、アドレスデータが示されたアドレスセグメントは、いずれも同位相の２つのウォブリング部が設けられた構成とされているために、いずれのグルーブＧのアドレスを読む場合にも、上記したのと同様な作用が得られる。
【００４０】
上記したような原理によってアドレスデータの検出精度を高めることができれば、光磁気ディスク装置の光検出系において、サーボ用の光量をあまり多くする必要がなくなる。したがって、その分だけデータセグメント１１からのデータ読み出しのための光磁気信号検出用の光量を多くし、光磁気信号のＳ／Ｎを高めることも可能となる。また、既述したように、データの読み書きに用いるレーザ光として、赤色レーザに代えて、青色レーザを用いると、光検出器の感度が低下する傾向があるものの、上記のように本実施形態の光磁気ディスクＤはアドレスデータの検出感度を高めることができるために、青色レーザを用いる次世代の光磁気ディスク装置にも適合するものとなる。
【００４１】
この光磁気ディスクＤの製造に際しては、１つのアドレスセグメントの両側壁に２つのウォブリング部を設ける必要があるものの、これら２つのウォブリング部は同位相であるために、１つのレーザビームを用いる手法によって形成することができる。したがって、トラックピッチを微小にしてデータ記録密度を高めるのにも好適となる。
【００４２】
この光磁気ディスクＤにおいては、次に述べるように、各ランドＬについてのアドレスデータも適切に読み出すことが可能である。
【００４３】
図１Ａに示すビームスポットＢｓをランドＬに沿って矢印Ｎａ方向に移動させていくと、このランドＬを挟んでいる２つのグルーブＧに形成されているウォブリング部３１b'，３２ｂ，３２a'，３３ａが順次読み取られていく。この場合、ランドＬのトラックアドレスを適正に示すウォブリング部３２ｂ，３２a'は、同位相であり、これらは同時に読み取られるために、その検出信号は、図１Ｂの符号Ｓｂで示すように、大きな振幅となる。これに対し、ウォブリング部３１b'，３３ａのそれぞれはランドＬの片方のみに存在し、ランドＬを挟んでそれらに対向する部分にはウォブリング部が形成されていない。したがって、それらの検出信号は、図１Ｂの符号Ｓａ，Ｓｃに示すように、符号Ｓｂで示した信号の半分程度の小さな振幅となる。このようなことから、これら符号Ｓａ〜Ｓｃで示す検出信号を処理する場合に、符号Ｓａ，Ｓｃの信号をカットするための閾値を用いて信号検出処理を行なえば、符号Ｓｂで示す信号のみを適切に取り出し、これに基づいてランドＬのトラックアドレスのデータを適切に読み出すことが可能となる。この光磁気ディスクＤにおいては、複数のランドＬのいずれについても、ランドＬのアドレスを適正に示す２つの同位相のウォブリング部によって挟まれた部分が設けられている。したがって、いずれのランドＬについてもアドレスの読み出しを適切に行なうことができる。
【００４４】
図２〜図５は、本発明の他の例を示している。これらの図において、上記実施形態と同一または類似の要素には、上記実施形態と同一の符号を付している。
【００４５】
図２に示す２つずつのアドレスセグメント１０Ａ，１０Ｂは、図１Ａに示した（Ｎ＋１）番目および（Ｎ＋２）番目のグルーブＧにおける第１および第２のアドレスセグメント１０Ａ，１０Ｂに対応するものである。ただし、図１Ａに示した（Ｎ＋２）番目のグルーブＧにおける第１のアドレスセグメント１０Ａにはウォブリング部が全く設けられていないのに対し、これに対応する本実施形態のアドレスセグメント１０Ａ（１０A') の両側壁には、ウォブリング部３１０a'，３１０b'と、ウォブリング部３１１a'，３１１b'とが形成されており、この点が相違している。
【００４６】
（Ｎ＋１）番目のグルーブＧにおける第１のアドレスセグメント１０Ａの２つのウォブリング部３１a'，３１b'には、プリアンブル、シンク、フレームアドレス、およびバンドアドレスの各データを示すウォブリング部３１０ａ，３１０ｂが含まれている。さらに、ウォブリング部３１a'，３１b'には、再度のプリアンブルとリシンクとを示すウォブリング部３１１ａ，３１１ｂも含まれている。ウォブリング部３１a'，３１b'のうち、上記以外の部分が、トラックアドレスとデータエラーチェックを行なうためのＣＲＣのデータを示す部分である。ウォブリング部３１０a'，３１０b'は、ウォブリング部３１０ａ，３１０ｂと同一内容のデータを示しており、それらウォブリング部３１０ａ，３１０ｂと同位相である。また、ウォブリング部３１１a'，３１１b'は、ウォブリング部３１１ａ，３１１ｂと同一内容のデータを示しており、それらウォブリング部３１１ａ，３１１ｂと同位相である。
【００４７】
このような構成によれば、（Ｎ＋２）番目のグルーブＧにおける第１のアドレスセグメント１０Ａ（１０A') にも、プリアンブルなどのデータが付加されるために、図１Ａに示した実施形態の場合と比較すると、フレームの先頭の位置がより明確となる。このように、本発明においては、トラックアドレスを記録させておく必要がないアドレスセグメントに対して、トラックアドレスやＣＲＣ以外のデータを記録させた構成にしてもかまわない。図１Ａに示した構成においては、第２および第３のアドレスセグメント１０Ｂ，１０Ｃとしても、ウォブリング部がなんら設けられていないものが存在するが、それらのアドレスセグメントに対してもトラックアドレスやＣＲＣ以外の共通のデータを示すウォブリング部を設けてもよいことは勿論である。
【００４８】
図３に示す構成においては、グルーブＧのアドレスセグメントとしては、第１および第２のアドレスセグメント１０Ａ，１０Ｂのみが設けられている。この構成においては、図１Ａに示した実施形態の第３のアドレスセグメント１０Ｃに相当するセグメントが設けられていない。第１のアドレスセグメント１０Ａは、同図の左寄り領域ｓ１と右寄り領域ｓ２とに分けられており、かつこれら２つの領域ｓ１，ｓ２の双方または一方に、Ｎ，（Ｎ＋１）、（Ｎ＋２）、または（Ｎ＋３）などのトラックアドレスを含むアドレスデータのウォブリング部３０が適宜設けられている。これに対し、第２のアドレスセグメント１０Ｂには、同図の左寄り領域ｓ３のみがアドレスデータを示す領域とされ、ウォブリング部３０が適宜設けられている。また、各ウォブリング部３０は、いずれも同一のトラックアドレスを２回繰り返すものではなく、１回のみであり、この点においても図１Ａに示した実施形態とは異なった構成となっている。
【００４９】
光磁気ディスクにレーザ光を照射してデータを読み出す場合、レーザ光を光磁気ディスクの透明基板に照射することによりこの透明基板を透過した光を記録面に到達させる方式と、透明基板とは反対側に位置する厚みが小さい透明保護膜側から記録面に対してレーザ光を照射する方式とがある。本発明のいわゆる両ウォブル方式によれば、従来技術のいわゆる片ウォブル方式に比べてチルトの影響を受け難くなっているが、上記後者の方式を採用すれば、データ読み出し時における光磁気ディスクのチルトの影響をさらに受け難くすることが可能となる。したがって、トラックアドレスが２回繰り返して記憶されていなくても、トラックアドレスを適切に読み出すことが可能である。図３に示した構成は、そのような方式を採用する場合に好適である。
【００５０】
図３に示した実施形態では、同一のトラックアドレスが１つのトラック上において２回繰り返されていないこと、およびアドレスセグメントが第１および第２のアドレスセグメント１０Ａ，１０Ｂのみとされてその総数が少なくされていることにより、アドレスデータ領域の縮小が図られている。このため、ユーザ用データ領域の拡大を図ることができる。とくに、第２のアドレスセグメント１０Ｂの右寄りの領域ｓ４については、データセグメント１１と同様に、磁気記録データ領域として使用することができる。したがって、フォーマット効率を高め、データ記憶容量の増加を図るのに好適となる。
【００５１】
図３においては、たとえば符号ｎ１で示す第１のアドレスセグメント１０Ａの右寄り領域ｓ２と、符号ｎ２で示す第２のアドレスセグメント１０Ｂの左寄り領域ｓ３とには、ウォブリング部が形成されていない構成となっている。本発明においては、図２を参照して説明した内容と同様に、そのような部分にプリアンブルやその他のデータを示すウォブリング部を形成することができる。より具体的には、たとえば図４に示すように、上記したアドレスセグメントに対応するものとして、符号ｎ1'，ｎ2'で示されたアドレスセグメント１０Ａ，１０Ｂには、ウォブリング部３００a', ３００b'が形成されている。ウォブリング部３００a'は、符号ｎ３で示す隣接のアドレスセグメント１０Ａのウォブリング部３０に含まれている再度のプリアンブルやリシンクのデータを示すウォブリング部３００ａと同位相である。また、ウォブリング部３００b'は、符号ｎ４で示す隣接のアドレスセグメント１０Ｂのウォブリング部３０に含まれているプリアンブル、シンク、フレームアドレス、およびバンドアドレスのデータを示すウォブリング部３００ｂと同位相である。このような構成においても、図２に示した場合と同様に、データの読み出しに際し、フレームの先頭を認識し易くなる。
【００５２】
図５に示す構成においては、第１のアドレスセグメント１０Ａの右寄り領域ｓ６と、第２のアドレスセグメント１０Ｂの左寄りおよび右寄りの領域ｓ７，ｓ８とには、ウォブリング部３０が一定の配列で形成されている。これらのウォブリング部３０は、互いに対向するものどうしが同位相の関係にあることは先の実施形態と同様である。第１のアドレスセグメント１０Ａの左寄り領域ｓ５（先頭領域）には、図６Ａに示すような平面視のパターンが形成されている。同図に示すパターンによれば、Ｎ、（Ｎ＋１）、および（Ｎ＋２）番目のそれぞれのランドＬ（Ｎ），Ｌ（Ｎ＋１），Ｌ（Ｎ＋２）をビームスポットが通過することにより得られるプッシュプル信号は、図６Ｂの（ａ）〜（ｃ）に示すような波形となる。図６Ａに示す部分のうち、同位相にウォブルされた部分においては、他の部分よりもプッシュプル信号の振幅が大きくなるからである。ここで、図６Ｂの（ａ）〜（ｃ）に示すプッシュプル信号のうち、振幅が大きい部分を「１」とし、かつ小さい部分を「０」とすると、ランドＬ（Ｎ）では（１，０）の信号が、ランドＬ（Ｎ＋１）では（０，１）の信号が、ランドＬ（Ｎ＋２）では（０，０）の信号が得られる。これらの信号により３種類のランドＬ（Ｎ），Ｌ（Ｎ＋１），Ｌ（Ｎ＋２）を区別することができる。したがって、このデータにより、ランドＬで読み取られるトラックアドレスのうち、いずれのアドレスを採用するかを判断することができる。
【００５３】
具体的には、図５に示す構成において、ランドＬ（Ｎ）の部分にビームスポットを通過させるときには、Ｎ，（Ｎ＋１）および（Ｎ−１）の３つのトラックアドレスがそれらの順序で読み出されるが、上記信号が検出されたときには、１番目に読み取られるトラックアドレスを採用する旨を予め定めておく。このようにすれば、２番目、３番目に読み取られる（Ｎ＋１），（Ｎ−１）のアドレスが誤って採用されないこととなる。同様に、上記信号に基づき、ランドＬ（Ｎ＋１）については２番目に読み取られるアドレスが、またランドＬ（Ｎ＋２）については３番目に読み取られるアドレスが採用されるようにすることができる。既述したとおり、ウォブリング部がランドＬの片方のみに設けられた部分においては、プッシュプル信号の振幅が小さくなるため、これを誤って適正なトラックアドレスとして検出されることは防止されるが、これに加えて上記したような手法を採用すれば、トラックアドレスを誤って検出する虞れをより確実に防止することが可能である。
【００５４】
本発明は、上述した実施形態の内容に限定されない。本発明に係る光ディスクの各部の具体的な構成は、種々に設計変更自在である。
【００５５】
本発明においては、１つのトラックまたはフレームに設けられるアドレスセグメントの具体的な数は２つ、または３つに限らない。たとえば、アドレスセグメントを１つのみとして、この１つのアドレスセグメントに、Ｎ，（Ｎ＋１）、または（Ｎ＋２）などの複数種類のトラックアドレスを示すウォブリング部をディスクの周方向に並ぶように形成してもかまわない。
【００５６】
本発明に係る光ディスクは、冒頭の定義から理解されるように、光磁気ディスクに限定されるものではない。本発明は、アドレスデータの記録にウォブルを用いたものであれば、種々の光ディスクに適用することが可能である。
【００５７】
【図面の簡単な説明】
【図１】
図１Ａは、本発明に係る光ディスクの記録面のパターンの一例を模式的に示す要部平面図であり、図１Ｂは、その光ディスクのランドにビームスポットを照射したときに得られる信号の一例を示す説明図である。
【図２】
図２は、本発明に係る光ディスクの記録面のパターンの他の例を模式的に示す要部平面図である。
【図３】
図３は、本発明に係る光ディスクの記録面のパターンの他の例を模式的に示す要部平面図である。
【図４】
図４は、本発明に係る光ディスクの記録面のパターンの他の例を模式的に示す要部平面図である。
【図５】
図５は、本発明に係る光ディスクの記録面のパターンの他の例を模式的に示す要部平面図である。
【図６】
図６Ａは、グルーブおよびランドのパターンの他の例を示す要部平面図であり、図６Ｂは、図６Ａに示すパターンにより得られる信号の一例を示す説明図である。
【図７】
図７は、従来技術の一例を示す要部平面図である。
【図８】
図８は、光磁気ディスクのバンドの説明図である。
【図９】
図９は、複数のフレームの配列を示す図である。
【図１０】
図１０は、プッシュプル法の説明図である。
【手続補正書】
【提出日】平成17年6月14日(2005.6.14)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【発明の詳細な説明】
【技術分野】
【０００１】
本発明は、光ディスクに関する。本明細書でいう「光ディスク」とは、光学的手段を用いることによりデータの記録および／または再生が可能なディスクを意味しており、ＣＤ−ＲＯＭなどの読み取り専用の狭義の光ディスクに加え、光磁気記録方式、相変化方式、あるいは有機色素変化方式などによってデータの書き込みが可能なタイプのディスクをも含む広い概念である。
【背景技術】
【０００２】
光ディスクは、高密度化が進んでおり、光磁気ディスクを一例に挙げると、この光磁気ディスクの規格としては、たとえばＡＳ−ＭＯ（Advanced Storaged  Magneto Optical Disk) がある。同規格の光磁気ディスクは、直径１２０ｍｍの片面で、６ＧＢ程度の記憶容量をもっている。この光磁気ディスクは、図７に示すように、半径方向（矢印Ｒａ方向）にグルーブＧとランドＬとが交互に形成されることによりトラックが構成されている。各トラックには、複数のファインクロックマーク７０を光磁気ディスクの周方向に一定間隔で形成するためのエリアが設けられており、各トラックは、このエリアによって複数のセグメントに分割されている。これら複数のセグメントとしては、アドレスセグメント８とデータセグメント９とがあり、１フレームは、１個のアドレスセグメント８と３８個のデータセグメント９により構成されている。データセグメント９は、光磁気記録方式によりユーザがデータを記録する領域であるのに対し、アドレスセグメント８は、トラックアドレスなどのアドレスデータを記録する領域である。
【０００３】
光磁気ディスクの記録領域は、図８に示すように、複数のバンドＢ（ゾーン）に区分されており、各バンドＢ内においては、複数のフレームが半径方向および周方向に並んでいる。周方向においては、図９に示すように、フレーム１からフレームｎまで並び、１周すると、またフレーム１となる。各バンドＢ内において、半径方向に並ぶ複数のフレームの番号（フレームアドレス）は同一となっている。
【０００４】
図７に示したアドレスセグメント８に記録されるアドレスデータとしては、フレームアドレス、バンドアドレス、およびトラックアドレスがある。
【０００５】
アドレスセグメント８へのアドレスデータの記録方式としては、グルーブＧの一側壁にウォブリング部８０を設けるいわゆるウォブル方式が採用されている。なお、図面においては、ウォブリング部８０の形状を模式的に示している。これは、後述する図１〜図６の他の添付図面においても同様である。アドレスデータのうち、たとえばグルーブＧのトラックＮ，（Ｎ＋１），あるいは（Ｎ＋２）などのトラックアドレスについては、正確な読み取りを行なわせることを目的として、１つのアドレスセグメント８に、２つのウォブリング部８０ａ，８０ｂがディスク周方向に並べて設けられている。これら２つのウォブリング部８０ａ，８０ｂは、グルーブＧの一対の側壁のそれぞれに分けて設けられたスタガ方式とされている。このようなスタガ方式にすれば、光磁気ディスクがチルトしたときに、２つのウォブリング部８０ａ，８０ｂのいずれか一方の検出が困難になったとしても、他方の検出は可能であることから、アドレスデータの読み出しの確実化が図られる。
【０００６】
上記したアドレスデータの読み出しには、プッシュプル法が用いられている。このプッシュプル法を簡単に説明すると、まず、図１０に示すように、対物レンズ６０によって集光されたレーザ光がランドＬおよびグルーブＧが形成された凹凸面に照射され、かつこの光が反射されると、プラスおよびマイナスの反射回折光Ｒ１が発生する。その結果、対物レンズ６０には、直接反射光Ｒ０に加えてそれらの反射回折光Ｒ１も入射する。このような戻り光を２つの受光エリア６１ａ，６１ｂをもつ２分割検出器６１により受光させ、かつこの検出器６１から出力される２つの受光エリア６１ａ，６１ｂにおける受光量に対応した信号ＳＧ１，ＳＧ２の差分をとる。この信号が、プッシュプル信号であり、この信号に基づき、ウォブリング部のうち、レーザ光が照射された部分のウォブル量を判断可能である。
【０００７】
上記したアドレスセグメント８およびデータセグメント９を備えた光磁気ディスクのパターンは、フォトレジストを塗布したガラス原盤を回転させながら、対物レンズによって集光させたレーザビームを半径方向に移動させることにより露光し、かつその現像を行なうことにより形成される。その露光の際には、１つのレーザビームを２つのビームに分割し、ウォブリング部８０に対応する部分を露光するときには、それら２つのビームの一方のみをウォブルさせる制御を行なう。このようにすれば、一側壁がウォブルされ、かつそれとは反対の側壁が非ウォブル状態のグルーブＧを形成可能である。
【０００８】
しかしながら、上記従来技術においては、次のような問題点があった。
【０００９】
第１に、ＡＳ−ＭＯ規格の光磁気ディスクにおいては、トラックピッチが０．６μｍであり、この程度のピッチであれば、上記した２つのレーザビームを用いる方法によってグルーブＧの一側壁にウォブリング部８０を適切に形成可能である。ところが、データ記録密度をより高めることを目的として、たとえばトラックピッチを０．３μｍ程度に狭めようとした場合、上記２つのレーザビームを用いる手法では、グルーブＧのウォブリング部８０を適切に形成することが困難となる。なぜなら、それらのビームスポットの中心間隔を小さくしていくと、それらの重なり度合いが大きくなり、実質的に１つのビームスポットと同様なものになってしまうからである。
【００１０】
第２に、ＡＳ−ＭＯ規格の光磁気ディスクにおいては、波長が６５０ｎｍ程度の赤色レーザが用いられる。これに対して、光磁気ディスクのさらなる高密度化を図るには、それよりも波長が短い青色レーザ（たとえば波長が４０５ｎｍ程度）を用いて、ビームスポットの微小化を図ることが望まれる。ところが、青色レーザを用いると、赤色レーザを用いる場合よりも、検出器の感度が低下するため、ウォブリング部８０の検出が不正確となる虞れが大となる。とくに、光磁気ディスク装置の光検出系においては、光検出器が光磁気信号検出用とサーボ信号検出用とに分けられているために、ウォブリング部８０の検出に利用される光量が少なくなり、その検出が不正確となり易い。さらには、光磁気信号のＳ／Ｎを高めるためには、サーボ用の光量を少なくして、光磁気信号検出用の光量を多くする必要があるため、その傾向は一層強くなる。
【発明の開示】
【００１１】
本発明の目的は、上記の問題点を解消または軽減することができる光ディスクを提供することにある。
【００１２】
本発明によって提供される光ディスクは、複数のグルーブと複数のランドとがディスク半径方向に交互に設けられており、かつ上記複数のグルーブには、ウォブルによるアドレスデータ記録領域が形成されている、光ディスクであって、上記アドレスデータ記録領域は、同位相の一対のウォブリング部が上記グルーブの両側壁に形成された構成を有していることを特徴としている。
【００１３】
好ましくは、上記複数のグルーブは、ディスク半径方向に隣り合うグルーブごとに、同位相の一対のウォブリング部が形成された構成とされており、上記各ランドには、それら一対のウォブリング部によって挟まれた部分が設けられている。
【００１４】
好ましくは、上記複数のグルーブに設けられたアドレスデータ記録領域としては、上記各グルーブの個々のアドレスを示す第１の記録領域と、上記各グルーブに隣接する他のグルーブのアドレスを示す第２の記録領域とがあり、上記複数のグルーブは、１つのグルーブの第１の記録領域と、それに隣接する他の１つのグルーブの第２の記録領域とが、上記ランドを挟んで向かい合い、かつそれらのウォブリング部は同位相となった構成を有している。
【００１５】
好ましくは、上記複数のグルーブの第１および第２の記録領域は、ディスク半径方向に隣り合うグルーブ間においてディスク周方向に位置ずれした配列に設けられ、上記ランドを挟んで上記第１および第２の記録領域どうしが向かい合う部分は、ディスク半径方向において互いに隣接しないように構成されている。
【００１６】
好ましくは、上記複数のグルーブは、第１から第３のグルーブがディスク半径方向に繰り返して並び、かつトラックアドレスのデータの記録が回避された非トラックアドレス領域を有している構成とされており、上記第１のグルーブは、この第１のグルーブのトラックアドレスを示す領域、上記非トラックアドレス領域、およびこの第１のグルーブに隣接する第３のグルーブのトラックアドレスを示す領域が、これらの順序でディスク周方向に形成された構成を有しており、上記第２のグルーブは、隣接する第１のグルーブのトラックアドレスを示す領域、この第２のグルーブのトラックアドレスを示す領域、および上記非トラックアドレス領域が、これらの順序でディスク周方向に形成された構成を有しており、上記第３のグルーブは、上記非トラックアドレス領域、隣接する第２のグルーブのトラックアドレスを示す領域、およびこの第３のグルーブのトラックアドレスを示す領域が、これらの順序でディスク周方向に形成された構成を有している。
【００１７】
好ましくは、上記各非トラックアドレス領域には、トラックアドレスとは異なるデータを示す追加のウォブリング部が形成されている。
【００１８】
好ましくは、上記追加のウォブリング部が示す情報は、互いに隣接し合うグルーブに共通の情報である。
【００１９】
好ましくは、上記追加のウォブリング部は、ディスク半径方向に隣接し合うグルーブのそれぞれに設けられており、かつこれら一対の追加のウォブリング部は、ランドを挟んで対向し、かつ同位相である。
【００２０】
好ましくは、上記第１から第３のグルーブには、そのグルーブから読み取られるトラックアドレスのデータのうち、いずれのトラックアドレスがそのグルーブのトラックアドレスのデータであるかを示す指示データが記録されている。
【００２１】
好ましくは、上記指示データの記録は、上記各グルーブの両側壁に同位相で設けられた一対のウォブリング部によりなされている。
【００２２】
好ましくは、上記第１から第３のグルーブのそれぞれを含んで構成される１フレーム領域の先頭部分に、上記指示データが記録されている。
【００２３】
好ましくは、上記複数のグルーブおよびランドは、少なくとも同一トラックにおいてディスク周方向に一定間隔で設けられた複数のクロックマークの形成領域によって区切られた複数のセグメントを含んでいる。
【００２４】
好ましくは、上記複数のセグメントとしては、アドレスセグメントと、ユーザ使用領域となる複数のデータセグメントとがあり、上記複数のアドレスセグメントに上記ウォブルによるアドレスデータ記録領域が形成されている。
【００２５】
好ましくは、上記複数のアドレスセグメントの一部には、上記アドレスデータ記録領域が形成されていない箇所が設けられており、この箇所は、ユーザ使用領域の一部としてデータの書き込みが可能に構成されている。
【００２６】
本発明のその他の特徴および利点については、次の発明の実施の形態の説明から、より明らかになるであろう。
【発明を実施するための最良の形態】
【００２７】
以下、本発明の好ましい実施の形態について、図面を参照しつつ具体的に説明する。
【００２８】
図１Ａは、本発明が適用された光磁気ディスクの記録面のパターンを示している。本実施形態の光磁気ディスクＤは、その半径方向（矢印Ｒａ方向）に並ぶ複数のグルーブＧおよびランドＬが記録用のトラックとされたいわゆるランド・グルーブ記録方式が採用されたものである。もちろん、本実施形態とは異なり、グルーブＧとランドＬとの一方のみを記録用のトラックとした構成とすることも可能である。
【００２９】
グルーブＧのトラックに形成されたセグメントとしては、第１から第３のアドレスセグメント１０Ａ〜１０Ｃと、複数のデータセグメント１１とがあり、これらはファインクロックマーク２０の形成領域を挟んでディスク周方向に並んでいる。本実施形態の光磁気ディスクＤは、第１から第３のアドレスセグメント１０Ａ〜１０Ｃに関する構造に特徴があり、これ以外の構成については、従来既知の光磁気ディスクと同様な構成である。したがって、以降は、第１から第３のアドレスセグメント１０Ａ〜１０Ｃの構造に重点をおいて説明する。
【００３０】
この光磁気ディスクＤにおいては、第１から第３のアドレスセグメント１０Ａ〜１０Ｃに、いわゆる両ウォブルによるアドレスデータ記録領域が設けられている。
【００３１】
より具体的に説明すると、Ｎ番目のグルーブＧにおいては、その第１のアドレスセグメント１０Ａの両側壁に、ウォブリング部３１ａ，３１ｂが形成されている。これらのウォブリング部３１ａ，３１ｂは、ウォブルの方向が同一に揃えられた同位相となっており、ウォブリング部３１ａ，３１ｂのそれぞれによって示されるアドレスデータは互いに同一である。このアドレスデータは、適当な方式で変調されたデータである。このアドレスデータとしては、フレームアドレス、バンドアドレス、およびトラックアドレスがある。ウォブリング部３１ａ，３１ｂが示すトラックアドレスはＮである。このトラックアドレスＮは、１つのアドレスセグメント１０Ａにおいて２回繰り返して記録されている。フレームアドレスおよびバンドアドレスは、同一フレームおよび同一バンドのトラックであれば、共通のデータであるため、読み取りの過誤を少なくすることができるのに対し、トラックアドレスについては誤検出を回避するために２回繰り返されている。この点については、第１から第３のアドレスセグメント１０Ａ〜１０Ｃに設けられた他のウォブリング部においても同様である。
【００３２】
Ｎ番目のグルーブＧにおける第３のアドレスセグメント１０Ｃの両側壁には、ウォブリング部３３a', ３３b'が形成されている。これらのウォブリング部３３a', ３３b'も、互いに同位相にウォブルされており、これらが示すトラックアドレスは、これらが設けられているＮ番目のグルーブＧよりも１つの前のアドレスである（Ｎ−１）となっている。
【００３３】
このように、Ｎ番目のグルーブＧにおいては、ウォブリング部３１ａ，３１ｂがこのグルーブＧの本来のトラックアドレスを示すのに対し、ウォブリング部３３a', ３３b'は隣接するグルーブＧのトラックアドレスを示すものとなっている。同グルーブＧの第２のアドレスセグメント１０Ｂは、アドレスデータが記録されていない領域とされている。
【００３４】
（Ｎ＋１）番目のグルーブＧにおいては、第１および第２のアドレスセグメント１０Ａ，１０Ｂの両側壁に、ウォブリング部３１a', ３１b'，３２ａ，３２ｂが形成されている。ウォブリング部３１a', ３１b'は、上記したＮ番目のグルーブＧのウォブリング部３１ａ，３１ｂと同位相のウォブルとされており、これらが示すトラックアドレスはＮである。ウォブリング部３２ａ，３２ｂは、互いに同位相にウォブルされており、これらが示すトラックアドレスは（Ｎ＋１）である。同グルーブＧの第３のアドレスセグメント１０Ｃは、アドレスデータが記録されていない領域とされている。
【００３５】
（Ｎ＋２）番目のグルーブＧにおいては、第２および第３のアドレスセグメント１０Ｂ，１０Ｃの両側壁に、ウォブリング部３２a'，３２b', ３３ａ，３３ｂが形成されている。ウォブリング部３２a'，３２b'は、ウォブリング部３２ａ，３２ｂと同位相にウォブルされており、これらが示すトラックアドレスは（Ｎ＋１）である。ウォブリング部３３ａ，３３ｂも、互いに同位相にウォブルされており、これらが示すトラックアドレスは（Ｎ＋２）である。同グルーブＧの第１のアドレスセグメント１０Ａは、アドレスデータが記録されていない領域である。
【００３６】
（Ｎ＋３）番目以降のグルーブＧのアドレスセグメントについては、基本的には、上記したＮ番目、（Ｎ＋１）番目、および（Ｎ＋２）番目の計３つのグルーブＧのアドレスセグメントと同様な構成が繰り返されている構成となっている。すなわち、（Ｎ＋３）番目のグルーブＧの第１のアドレスセグメント１０Ａの両側壁には、アドレスデータが（Ｎ＋３）であることを示す同位相のウォブリング部３１ｃ，３１ｄが形成されているとともに、同グルーブＧの第３のアドレスセグメント１０Ｃの両側壁には、（Ｎ＋２）番目のグルーブＧのウォブリング部３３ａ，３３ｂと同位相のウォブリング部３３a'，３３b'が形成されている。（Ｎ＋４）番目のグルーブＧの第１のアドレスセグメント１０Ａの両側壁には、アドレスデータが（Ｎ＋３）であることを示すウォブリング部３１ｃ，３１ｄと同位相のウォブリング部３１c', ３１d'が形成されているとともに、同グルーブＧの第２のアドレスセグメント１０Ｂの両側壁には、アドレスデータが（Ｎ＋４）であることを示すウォブリング部３２ｃ，３２ｄが形成されている。
【００３７】
次に、光磁気ディスクＤの作用について説明する。
【００３８】
まず、グルーブＧにビームスポットを当ててアドレスデータを読み出す場合には、２つのトラックアドレスが読み出される。より具体的には、たとえばＮ番目のグルーブＧについては、ウォブリング部３１ａ，３１ｂからトラックアドレスがＮであることが読み出されるとともに、ウォブリング部３３a', ３３b'からはトラックアドレスが（Ｎ−１）であることが読み出される。グルーブＧのアドレスデータの読み出しについては、数値の大きい方のトラックアドレスがそのグルーブＧの本来のトラックアドレスとして選択されるように光磁気ディスク装置の制御回路を設定しておく。このことにより、たとえばＮ番目のグルーブＧについては、Ｎおよび（Ｎ−１）のうちから、数値が大きい方のＮのトラックアドレスが適正に選択されることとなる。Ｎ番目以外のグルーブＧについても、それと同様に、それらのトラックアドレスが適正に読み出し可能である。
【００３９】
また、たとえばＮ番目のグルーブＧの第１のアドレスセグメント１０Ａにビームスポットを当ててアドレスデータを読み出す際には、２つのウォブリング部３１ａ，３１ｂからの反射光が得られることとなる。これら２つのウォブリング部３１ａ，３１ｂは、互いに同位相にウォブルされているために、たとえばこれら２つのうちの一方しか形成されていない場合と比較すると、トータルのウォブル量は２倍となる。このため、図１０を参照して説明したプッシュプル法において検出されるウォブルの検出信号（プッシュプル信号）が約２倍の振幅をもつものとなり、ウォブルの検出精度、すなわちアドレスデータの読み出し精度が高まる。この光磁気ディスクＤにおいては、アドレスデータが示されたアドレスセグメントは、いずれも同位相の２つのウォブリング部が設けられた構成とされているために、いずれのグルーブＧのアドレスを読む場合にも、上記したのと同様な作用が得られる。
【００４０】
上記したような原理によってアドレスデータの検出精度を高めることができれば、光磁気ディスク装置の光検出系において、サーボ用の光量をあまり多くする必要がなくなる。したがって、その分だけデータセグメント１１からのデータ読み出しのための光磁気信号検出用の光量を多くし、光磁気信号のＳ／Ｎを高めることも可能となる。また、既述したように、データの読み書きに用いるレーザ光として、赤色レーザに代えて、青色レーザを用いると、光検出器の感度が低下する傾向があるものの、上記のように本実施形態の光磁気ディスクＤはアドレスデータの検出感度を高めることができるために、青色レーザを用いる次世代の光磁気ディスク装置にも適合するものとなる。
【００４１】
この光磁気ディスクＤの製造に際しては、１つのアドレスセグメントの両側壁に２つのウォブリング部を設ける必要があるものの、これら２つのウォブリング部は同位相であるために、１つのレーザビームを用いる手法によって形成することができる。したがって、トラックピッチを微小にしてデータ記録密度を高めるのにも好適となる。
【００４２】
この光磁気ディスクＤにおいては、次に述べるように、各ランドＬについてのアドレスデータも適切に読み出すことが可能である。
【００４３】
図１Ａに示すビームスポットＢｓをランドＬに沿って矢印Ｎａ方向に移動させていくと、このランドＬを挟んでいる２つのグルーブＧに形成されているウォブリング部３１b'，３２ｂ，３２a'，３３ａが順次読み取られていく。この場合、ランドＬのトラックアドレスを適正に示すウォブリング部３２ｂ，３２a'は、同位相であり、これらは同時に読み取られるために、その検出信号は、図１Ｂの符号Ｓｂで示すように、大きな振幅となる。これに対し、ウォブリング部３１b'，３３ａのそれぞれはランドＬの片方のみに存在し、ランドＬを挟んでそれらに対向する部分にはウォブリング部が形成されていない。したがって、それらの検出信号は、図１Ｂの符号Ｓａ，Ｓｃに示すように、符号Ｓｂで示した信号の半分程度の小さな振幅となる。このようなことから、これら符号Ｓａ〜Ｓｃで示す検出信号を処理する場合に、符号Ｓａ，Ｓｃの信号をカットするための閾値を用いて信号検出処理を行なえば、符号Ｓｂで示す信号のみを適切に取り出し、これに基づいてランドＬのトラックアドレスのデータを適切に読み出すことが可能となる。この光磁気ディスクＤにおいては、複数のランドＬのいずれについても、ランドＬのアドレスを適正に示す２つの同位相のウォブリング部によって挟まれた部分が設けられている。したがって、いずれのランドＬについてもアドレスの読み出しを適切に行なうことができる。
【００４４】
図２〜図５は、本発明の他の例を示している。これらの図において、上記実施形態と同一または類似の要素には、上記実施形態と同一の符号を付している。
【００４５】
図２に示す２つずつのアドレスセグメント１０Ａ，１０Ｂは、図１Ａに示した（Ｎ＋１）番目および（Ｎ＋２）番目のグルーブＧにおける第１および第２のアドレスセグメント１０Ａ，１０Ｂに対応するものである。ただし、図１Ａに示した（Ｎ＋２）番目のグルーブＧにおける第１のアドレスセグメント１０Ａにはウォブリング部が全く設けられていないのに対し、これに対応する本実施形態のアドレスセグメント１０Ａ（１０A') の両側壁には、ウォブリング部３１０a'，３１０b'と、ウォブリング部３１１a'，３１１b'とが形成されており、この点が相違している。
【００４６】
（Ｎ＋１）番目のグルーブＧにおける第１のアドレスセグメント１０Ａの２つのウォブリング部３１a'，３１b'には、プリアンブル、シンク、フレームアドレス、およびバンドアドレスの各データを示すウォブリング部３１０ａ，３１０ｂが含まれている。さらに、ウォブリング部３１a'，３１b'には、再度のプリアンブルとリシンクとを示すウォブリング部３１１ａ，３１１ｂも含まれている。ウォブリング部３１a'，３１b'のうち、上記以外の部分が、トラックアドレスとデータエラーチェックを行なうためのＣＲＣのデータを示す部分である。ウォブリング部３１０a'，３１０b'は、ウォブリング部３１０ａ，３１０ｂと同一内容のデータを示しており、それらウォブリング部３１０ａ，３１０ｂと同位相である。また、ウォブリング部３１１a'，３１１b'は、ウォブリング部３１１ａ，３１１ｂと同一内容のデータを示しており、それらウォブリング部３１１ａ，３１１ｂと同位相である。
【００４７】
このような構成によれば、（Ｎ＋２）番目のグルーブＧにおける第１のアドレスセグメント１０Ａ（１０A') にも、プリアンブルなどのデータが付加されるために、図１Ａに示した実施形態の場合と比較すると、フレームの先頭の位置がより明確となる。このように、本発明においては、トラックアドレスを記録させておく必要がないアドレスセグメントに対して、トラックアドレスやＣＲＣ以外のデータを記録させた構成にしてもかまわない。図１Ａに示した構成においては、第２および第３のアドレスセグメント１０Ｂ，１０Ｃとしても、ウォブリング部がなんら設けられていないものが存在するが、それらのアドレスセグメントに対してもトラックアドレスやＣＲＣ以外の共通のデータを示すウォブリング部を設けてもよいことは勿論である。
【００４８】
図３に示す構成においては、グルーブＧのアドレスセグメントとしては、第１および第２のアドレスセグメント１０Ａ，１０Ｂのみが設けられている。この構成においては、図１Ａに示した実施形態の第３のアドレスセグメント１０Ｃに相当するセグメントが設けられていない。第１のアドレスセグメント１０Ａは、同図の左寄り領域ｓ１と右寄り領域ｓ２とに分けられており、かつこれら２つの領域ｓ１，ｓ２の双方または一方に、Ｎ，（Ｎ＋１）、（Ｎ＋２）、または（Ｎ＋３）などのトラックアドレスを含むアドレスデータのウォブリング部３０が適宜設けられている。これに対し、第２のアドレスセグメント１０Ｂには、同図の左寄り領域ｓ３のみがアドレスデータを示す領域とされ、ウォブリング部３０が適宜設けられている。また、各ウォブリング部３０は、いずれも同一のトラックアドレスを２回繰り返すものではなく、１回のみであり、この点においても図１Ａに示した実施形態とは異なった構成となっている。
【００４９】
光磁気ディスクにレーザ光を照射してデータを読み出す場合、レーザ光を光磁気ディスクの透明基板に照射することによりこの透明基板を透過した光を記録面に到達させる方式と、透明基板とは反対側に位置する厚みが小さい透明保護膜側から記録面に対してレーザ光を照射する方式とがある。本発明のいわゆる両ウォブル方式によれば、従来技術のいわゆる片ウォブル方式に比べてチルトの影響を受け難くなっているが、上記後者の方式を採用すれば、データ読み出し時における光磁気ディスクのチルトの影響をさらに受け難くすることが可能となる。したがって、トラックアドレスが２回繰り返して記憶されていなくても、トラックアドレスを適切に読み出すことが可能である。図３に示した構成は、そのような方式を採用する場合に好適である。
【００５０】
図３に示した実施形態では、同一のトラックアドレスが１つのトラック上において２回繰り返されていないこと、およびアドレスセグメントが第１および第２のアドレスセグメント１０Ａ，１０Ｂのみとされてその総数が少なくされていることにより、アドレスデータ領域の縮小が図られている。このため、ユーザ用データ領域の拡大を図ることができる。とくに、第２のアドレスセグメント１０Ｂの右寄りの領域ｓ４については、データセグメント１１と同様に、磁気記録データ領域として使用することができる。したがって、フォーマット効率を高め、データ記憶容量の増加を図るのに好適となる。
【００５１】
図３においては、たとえば符号ｎ１で示す第１のアドレスセグメント１０Ａの右寄り領域ｓ２と、符号ｎ２で示す第２のアドレスセグメント１０Ｂの左寄り領域ｓ３とには、ウォブリング部が形成されていない構成となっている。本発明においては、図２を参照して説明した内容と同様に、そのような部分にプリアンブルやその他のデータを示すウォブリング部を形成することができる。より具体的には、たとえば図４に示すように、上記したアドレスセグメントに対応するものとして、符号ｎ1'，ｎ2'で示されたアドレスセグメント１０Ａ，１０Ｂには、ウォブリング部３００a', ３００b'が形成されている。ウォブリング部３００a'は、符号ｎ３で示す隣接のアドレスセグメント１０Ａのウォブリング部３０に含まれている再度のプリアンブルやリシンクのデータを示すウォブリング部３００ａと同位相である。また、ウォブリング部３００b'は、符号ｎ４で示す隣接のアドレスセグメント１０Ｂのウォブリング部３０に含まれているプリアンブル、シンク、フレームアドレス、およびバンドアドレスのデータを示すウォブリング部３００ｂと同位相である。このような構成においても、図２に示した場合と同様に、データの読み出しに際し、フレームの先頭を認識し易くなる。
【００５２】
図５に示す構成においては、第１のアドレスセグメント１０Ａの右寄り領域ｓ６と、第２のアドレスセグメント１０Ｂの左寄りおよび右寄りの領域ｓ７，ｓ８とには、ウォブリング部３０が一定の配列で形成されている。これらのウォブリング部３０は、互いに対向するものどうしが同位相の関係にあることは先の実施形態と同様である。第１のアドレスセグメント１０Ａの左寄り領域ｓ５（先頭領域）には、図６Ａに示すような平面視のパターンが形成されている。同図に示すパターンによれば、Ｎ、（Ｎ＋１）、および（Ｎ＋２）番目のそれぞれのランドＬ（Ｎ），Ｌ（Ｎ＋１），Ｌ（Ｎ＋２）をビームスポットが通過することにより得られるプッシュプル信号は、図６Ｂの（ａ）〜（ｃ）に示すような波形となる。図６Ａに示す部分のうち、同位相にウォブルされた部分においては、他の部分よりもプッシュプル信号の振幅が大きくなるからである。ここで、図６Ｂの（ａ）〜（ｃ）に示すプッシュプル信号のうち、振幅が大きい部分を「１」とし、かつ小さい部分を「０」とすると、ランドＬ（Ｎ）では（１，０）の信号が、ランドＬ（Ｎ＋１）では（０，１）の信号が、ランドＬ（Ｎ＋２）では（０，０）の信号が得られる。これらの信号により３種類のランドＬ（Ｎ），Ｌ（Ｎ＋１），Ｌ（Ｎ＋２）を区別することができる。したがって、このデータにより、ランドＬで読み取られるトラックアドレスのうち、いずれのアドレスを採用するかを判断することができる。
【００５３】
具体的には、図５に示す構成において、ランドＬ（Ｎ）の部分にビームスポットを通過させるときには、Ｎ，（Ｎ＋１）および（Ｎ−１）の３つのトラックアドレスがそれらの順序で読み出されるが、上記信号が検出されたときには、１番目に読み取られるトラックアドレスを採用する旨を予め定めておく。このようにすれば、２番目、３番目に読み取られる（Ｎ＋１），（Ｎ−１）のアドレスが誤って採用されないこととなる。同様に、上記信号に基づき、ランドＬ（Ｎ＋１）については２番目に読み取られるアドレスが、またランドＬ（Ｎ＋２）については３番目に読み取られるアドレスが採用されるようにすることができる。既述したとおり、ウォブリング部がランドＬの片方のみに設けられた部分においては、プッシュプル信号の振幅が小さくなるため、これを誤って適正なトラックアドレスとして検出されることは防止されるが、これに加えて上記したような手法を採用すれば、トラックアドレスを誤って検出する虞れをより確実に防止することが可能である。
【００５４】
本発明は、上述した実施形態の内容に限定されない。本発明に係る光ディスクの各部の具体的な構成は、種々に設計変更自在である。
【００５５】
本発明においては、１つのトラックまたはフレームに設けられるアドレスセグメントの具体的な数は２つ、または３つに限らない。たとえば、アドレスセグメントを１つのみとして、この１つのアドレスセグメントに、Ｎ，（Ｎ＋１）、または（Ｎ＋２）などの複数種類のトラックアドレスを示すウォブリング部をディスクの周方向に並ぶように形成してもかまわない。
【００５６】
本発明に係る光ディスクは、冒頭の定義から理解されるように、光磁気ディスクに限定されるものではない。本発明は、アドレスデータの記録にウォブルを用いたものであれば、種々の光ディスクに適用することが可能である。
【図面の簡単な説明】
【００５７】
【図１】図１Ａは、本発明に係る光ディスクの記録面のパターンの一例を模式的に示す要部平面図であり、図１Ｂは、その光ディスクのランドにビームスポットを照射したときに得られる信号の一例を示す説明図である。
【図２】図２は、本発明に係る光ディスクの記録面のパターンの他の例を模式的に示す要部平面図である。
【図３】図３は、本発明に係る光ディスクの記録面のパターンの他の例を模式的に示す要部平面図である。
【図４】図４は、本発明に係る光ディスクの記録面のパターンの他の例を模式的に示す要部平面図である。
【図５】図５は、本発明に係る光ディスクの記録面のパターンの他の例を模式的に示す要部平面図である。
【図６】図６Ａは、グルーブおよびランドのパターンの他の例を示す要部平面図であり、図６Ｂは、図６Ａに示すパターンにより得られる信号の一例を示す説明図である。
【図７】図７は、従来技術の一例を示す要部平面図である。
【図８】図８は、光磁気ディスクのバンドの説明図である。
【図９】図９は、複数のフレームの配列を示す図である。
【図１０】図１０は、プッシュプル法の説明図である。
【手続補正２】
【補正対象書類名】手続補正書
【補正対象項目名】手続補正２
【補正方法】追加
【補正の内容】
【手続補正２】
【補正対象書類名】特許請求の範囲
【補正対象項目名】全文
【補正方法】変更
【補正の内容】
【特許請求の範囲】
【請求項１】
複数のグルーブと複数のランドとがディスク半径方向に交互に設けられており、かつ上記複数のグルーブには、ウォブルによるアドレスデータ記録領域が形成されている、光ディスクであって、
上記アドレスデータ記録領域は、同位相の一対のウォブリング部が上記グルーブの両側壁に形成された構成を有していることを特徴とする、光ディスク。
【請求項２】
上記複数のグルーブは、ディスク半径方向に隣り合うグルーブごとに、同位相の一対のウォブリング部が形成された構成とされており、
上記各ランドには、それら一対のウォブリング部によって挟まれた部分が設けられている、請求項１に記載の光ディスク。
【請求項３】
上記複数のグルーブに設けられたアドレスデータ記録領域としては、上記各グルーブの個々のアドレスを示す第１の記録領域と、上記各グルーブに隣接する他のグルーブのアドレスを示す第２の記録領域とがあり、
上記複数のグルーブは、１つのグルーブの第１の記録領域と、それに隣接する他の１つのグルーブの第２の記録領域とが、上記ランドを挟んで向かい合い、かつそれらのウォブリング部は同位相となった構成を有している、請求項２に記載の光ディスク。
【請求項４】
上記複数のグルーブの第１および第２の記録領域は、ディスク半径方向に隣り合うグルーブ間においてディスク周方向に位置ずれした配列に設けられ、
上記ランドを挟んで上記第１および第２の記録領域どうしが向かい合う部分は、ディスク半径方向において互いに隣接しないように構成されている、請求項３に記載の光ディスク。
【請求項５】
上記複数のグルーブは、第１から第３のグルーブがディスク半径方向に繰り返して並び、かつトラックアドレスのデータの記録が回避された非トラックアドレス領域を有している構成とされており、
上記第１のグルーブは、この第１のグルーブのトラックアドレスを示す領域、上記非トラックアドレス領域、およびこの第１のグルーブに隣接する第３のグルーブのトラックアドレスを示す領域が、これらの順序でディスク周方向に形成された構成を有しており、
上記第２のグルーブは、隣接する第１のグルーブのトラックアドレスを示す領域、この第２のグルーブのトラックアドレスを示す領域、および上記非トラックアドレス領域が、これらの順序でディスク周方向に形成された構成を有しており、
上記第３のグルーブは、上記非トラックアドレス領域、隣接する第２のグルーブのトラックアドレスを示す領域、およびこの第３のグルーブのトラックアドレスを示す領域が、これらの順序でディスク周方向に形成された構成を有している、請求項４に記載の光ディスク。
【国際調査報告】
2004059633.tif 000013
2004059633.tif 000014
2004059633.tif 000015
2004059633.tif 000016
2004059633.tif 000017
2004059633.tif 000018